(57)【要約】【課題】１つのキャリア帯域内の複数のＢＷＰｓ（ｂａｎｄｗｉｄｔｈ  ｐａｒｔｓ）のうちの任意のいずれかが活性化ＢＷＰであるときにＲＬＭ（Ｒａｄｉｏ  Ｌｉｎｋ  Ｍｏｎｉｔｏｒｉｎｇ）を行うことを無線端末に可能にする。【解決手段】無線端末は、第一のＢＷＰに対応する第一の設定情報と、第二のＢＷＰに対応する第二の設定情報と、を含むＲＲＣ  Ｒｅｃｏｎｆｉｇｕｒａｔｉｏｎメッセージを受信する。無線端末は、活性化ＢＷＰが第一のＢＷＰである場合、第一の設定情報に含まれ且つＲＬＭのために測定される参照信号のリソースを示す第一のＲＬＭ設定情報に基づいて、第一のＢＷＰにおけるＲＬＭを行う。無線端末は、活性化ＢＷＰが第二のＢＷＰである場合、第二の設定情報に含まれ且つＲＬＭのために測定される参照信号のリソースを示す第二のＲＬＭ設定情報に基づいて、第二のＢＷＰにおけるＲＬＭを行う。【選択図】図１７
2020108168.tif 000002
【特許請求の範囲】
【請求項１】
無線端末における方法において、
第一のBWP（bandwidth part）に対応する第一の設定情報と、第二のBWPに対応する第二の設定情報と、を含むRRC（Radio Resource Control）Reconfigurationメッセージを受信し、
前記無線端末の活性化BWPが前記第一のBWPである場合、前記第一の設定情報に含まれ且つ前記第一のBWPにおけるRLM（Radio Link Monitoring）のために測定される参照信号のリソースを示す第一のRLM設定情報に基づいて、前記第一のBWPのダウンリンク無線品質の測定を含む前記第一のBWPにおけるRLMを行い、
前記活性化BWPが前記第二のBWPである場合、前記第二の設定情報に含まれ且つ前記第二のBWPにおけるRLMのために測定される参照信号のリソースを示す第二のRLM設定情報に基づいて、前記第二のBWPのダウンリンク無線品質の測定を含む前記第二のBWPにおけるRLMを行う、方法。
【請求項２】
前記無線端末は、PDCCH(Physical Downlink Control Channel)においてDCI（Downlink Control Information）を受信し、
前記DCIに基づいて、前記活性化BWPを前記第一のBWPから前記第二のBWPに変更する、請求項１に記載の方法。
【請求項３】
前記参照信号は、SSB（Synchronization Signal/Physical Broadcast Channel block）またはCSI-RS(Channel State Information  Reference Signal)のいずれかである、請求項１又は２に記載の方法。
【請求項４】
前記第一及び第二のBWPのいずれか一方は、initial BWPである、請求項１〜３のいずれか１項に記載の方法。
【請求項５】
前記第二のBWPにおけるRLMを行うことは、前記DCIの受信よりも前に予め受信されていた前記第二の設定情報に基づいて前記第二のBWPにおけるRLMを行うことを含む、請求項２に記載の方法。
【請求項６】
前記RRC Reconfigurationメッセージを受信することは、前記活性化BWPが前記第一のBWPであるときに、前記RRC Reconfigurationメッセージを受信することを含む、請求項１〜５のいずれか１項に記載の方法。
【請求項７】
無線局における方法において、
無線端末に対して、第一のBWP（bandwidth part）に対応する第一の設定情報と、第二のBWPに対応する第二の設定情報と、を含むRRC（Radio Resource Control）Reconfigurationメッセージを送信し、
前記第一の設定情報は、前記無線端末の活性化BWPが前記第一のBWPである場合に前記無線端末が前記第一のBWPのダウンリンク無線品質の測定を含む前記第一のBWPにおけるRLM（Radio Link Monitoring）を実行する際に使用する、第一のRLM設定情報を含み、
前記第一のRLM設定情報は、前記第一のBWPにおけるRLMのために測定される参照信号のリソースを示し、
前記第二の設定情報は、前記無線端末の活性化BWPが前記第二のBWPである場合に前記無線端末が前記第二のBWPのダウンリンク無線品質の測定を含む前記第二のBWPにおけるRLMを実行する際に使用する、第二のRLM設定情報を含み、
前記第二のRLM設定情報は、前記第二のBWPにおけるRLMのために測定される参照信号のリソースを示す、
方法。
【請求項８】
前記無線局は、前記無線端末に対して、PDCCH(Physical Downlink Control Channel)においてDCI（Downlink Control Information）を送信し、
前記DCIは、前記無線端末に、前記活性化BWPを前記第一のBWPから前記第二のBWPに変更させる指示を含む、請求項７に記載の方法。
【請求項９】
前記参照信号は、SSB（Synchronization Signal/Physical Broadcast Channel block）またはCSI-RS(Channel State Information  Reference Signal)のいずれかである、請求項７又は８に記載の方法。
【請求項１０】
前記第一及び第二のBWPのいずれか一方は、initial BWPである、請求項７〜９のいずれか１項に記載の方法。
【請求項１１】
前記DCIを送信することは、前記RRC Reconfigurationメッセージの送信の後に前記DCIを送信することを含む、請求項８に記載の方法。
【請求項１２】
前記RRC Reconfigurationメッセージを送信することは、前記活性化BWPが前記第一のBWPであるときに、前記RRC Reconfigurationメッセージを送信することを含む、請求項７〜１１のいずれか１項に記載の方法。
【請求項１３】
無線端末であって、
トランシーバと、
プロセッサと、を有し、
前記プロセッサは、
前記トランシーバを介して、第一のBWP（bandwidth part）に対応する第一の設定情報と、第二のBWPに対応する第二の設定情報と、を含むRRC（Radio Resource Control）Reconfigurationメッセージを受信し、
前記無線端末の活性化BWPが前記第一のBWPである場合、前記第一の設定情報に含まれ且つ前記第一のBWPのRLM（Radio Link Monitoring）のために測定される参照信号のリソースを示す第一のRLM（Radio Link Monitoring）設定情報に基づいて、前記第一のBWPのダウンリンク無線品質の測定を含む前記第一のBWPにおけるRLMを行い、
前記活性化BWPが前記第二のBWPである場合、前記第二の設定情報に含まれ且つ前記第二のBWPのRLMのために測定される参照信号のリソースを示す第二のRLM設定情報に基づいて、前記第二のBWPのダウンリンク無線品質の測定を含む前記第二のBWPにおけるRLMを行う、
無線端末。
【請求項１４】
前記プロセッサは、PDCCH(Physical Downlink Control Channel)においてDCI（Downlink Control Information）を受信し、前記DCIに基づいて、前記活性化BWPを前記第一のBWPから前記第二のBWPに変更する、請求項１３に記載の無線端末。
【請求項１５】
前記プロセッサは、前記DCIの受信よりも前に予め受信されていた前記第二の設定情報に基づいて前記第二のBWPにおけるRLMを行う、請求項１４に記載の無線端末。
【請求項１６】
前記プロセッサは、前記活性化BWPが前記第一のBWPであるときに、前記RRC Reconfigurationメッセージを受信する、請求項１３〜１５のいずれか１項に記載の無線端末。
【請求項１７】
トランシーバと、
プロセッサと、を有し、
前記プロセッサは、
無線端末に対し、前記トランシーバを介して、第一のBWP（bandwidth part）に対応する第一の設定情報と、第二のBWPに対応する第二の設定情報と、を含むRRC（Radio Resource Control）Reconfigurationメッセージを送信し、
前記第一の設定情報は、前記無線端末の活性化BWPが前記第一のBWPである場合に前記無線端末が前記第一のBWPのダウンリンク無線品質の測定を含む前記第一のBWPにおけるRLM（Radio Link Monitoring）を実行する際に使用する、第一のRLM設定情報を含み、
前記第一のRLM設定情報は、前記第一のBWPにおけるRLMのために測定される参照信号のリソースを示し、
前記第二の設定情報は、前記活性化BWPが前記第二のBWPである場合に前記無線端末が前記第二のBWPのダウンリンク無線品質の測定を含む前記第二のBWPにおけるRLMを実行する際に使用する、第二のRLM設定情報を含み、
前記第二のRLM設定情報は、前記第二のBWPにおけるRLMのために測定される参照信号のリソースを示す、
無線局。
【請求項１８】
前記プロセッサは、前記トランシーバを介して、PDCCH(Physical Downlink Control Channel)においてDCI（Downlink Control Information）を送信し、
前記DCIは、前記無線端末に、前記活性化BWPを前記第一のBWPから前記第二のBWPに変更させる指示を含む、請求項１７に記載の無線局。
【請求項１９】
前記プロセッサは、前記RRC Reconfigurationメッセージの送信の後に前記DCIを送信する、請求項１８に記載の無線局。
【請求項２０】
前記プロセッサは、前記活性化BWPが前記第一のBWPであるときに、前記RRC Reconfigurationメッセージを送信する、請求項１７〜１９のいずれか１項に記載の無線局。
【発明の詳細な説明】
【技術分野】
【０００１】
本開示は、無線通信システムに関し、特に１つのキャリア帯域内に設定された１又はそれ以上の帯域（bandwidth）パートを使用する無線通信システムに関する。
【背景技術】
【０００２】
3rd Generation Partnership Project（3GPP）は、2020年以降の導入に向けた第5世代移動通信システム（5G）の標準化作業を行っている。5Gは、LTE及びLTE-Advancedの継続的な改良・発展（enhancement/evolution）と新たな5Gエア・インタフェース（新たなRadio Access Technology（RAT））の導入による革新的な改良・発展の組合せで実現されると想定されている。新たなRATは、例えば、LTE/LTE-Advancedの継続的発展が対象とする周波数帯（e.g., 6 GHz以下）よりも高い周波数帯、例えば10 GHz以上のセンチメートル波帯及び30 GHz以上のミリ波帯をサポートする。
【０００３】
本明細書では、第5世代移動通信システムは、5G System、又はNext Generation (NextGen) System（NG System）とも呼ばれる。5G Systemのための新たなRATは、New Radio（NR）、5G RAT、又はNG RATと呼ばれる。5G Systemのための新たな無線アクセスネットワーク（Radio Access Network（RAN））は、5G-RAN又はNextGen RAN（NG RAN）と呼ばれる。5G-RAN 内の新たな基地局は、NR NodeB（NR NB）又はgNodeB（gNB）と呼ばれる。5G Systemのための新たなコアネットワークは、5G Core Network（5G-CN又は5GC）又はNextGen Core（NG Core）と呼ばれる。5G Systemに接続する無線端末（User Equipment（UE））は、5G UE、NextGen UE（NG UE）又は単にUEと呼ばれる。5G SystemのためのRAT、UE、無線アクセスネットワーク、コアネットワーク、ネットワーク・エンティティ（ノード）、及びプロトコルレイヤ等の正式な名称は、標準化作業が進む過程で将来的に決定されるであろう。
【０００４】
また、本明細書で使用される“LTE”との用語は、特に断らない限り、5G Systemとのインターワーキングを可能とするためのLTE及びLTE-Advancedの改良・発展を含む。5G System とのインターワークのためのLTE及びLTE-Advancedの改良・発展は、LTE-Advanced Pro、LTE+、又はenhanced LTE（eLTE）とも呼ばれる。さらに、本明細書で使用される“Evolved Packet Core (EPC)”、“Mobility Management Entity (MME)”、“Serving Gateway (S-GW)”、及び“Packet Data Network (PDN) Gateway (P-GW)”等のLTEのネットワーク又は論理的エンティティに関する用語は、特に断らない限り、5G Systemとのインターワーキングを可能とするためのこれらの改良・発展を含む。改良されたEPC、MME、S-GW、及びP-GWは、例えば、enhanced EPC（eEPC）、enhanced MME（eMME）、enhanced S-GW（eS-GW）、及びenhanced P-GW（eP-GW）とも呼ばれる。
【０００５】
LTE及びLTE-Advancedでは、Quality of Service（QoS）及びパケットルーティングのために、QoSクラス毎且つPDNコネクション毎のベアラがRAN（i.e., Evolved Universal Terrestrial RAN（E-UTRAN））及びコアネットワーク（i.e., EPC）の両方で使用される。すなわち、Bearer-based QoS（or per-bearer QoS）コンセプトでは、UEとEPC内のP-GWとの間に１又は複数のEvolved Packet System (EPS) bearersが設定され、同じQoSクラスを持つ複数のサービスデータフロー（Service Data Flows（SDFs））はこれらのQoSを満足する１つのEPS bearerを通して転送される。
【０００６】
これに対して、5G Systemでは、無線ベアラがNG-RAN において使用されるかもしれないが、5GC内及び5GCとNG-RANの間のインタフェースにおいてベアラは使用されないことが検討されている。具体的には、EPS bearerの代わりにPDU flowsが定義され、１又は複数のSDFsは、１又は複数のPDU flowsにマップされる。5G UEとNG Core内のユーザプレーン終端エンティティ（i.e., EPC内のP-GWに相当するエンティティ）との間のPDU flowは、EPS Bearer-based QoSコンセプトにおけるEPSベアラに相当する。PDU flowは、5G system内でのパケットフォワーディング及び処理（treatment）の最も微細な粒度（finest granularity）に対応する。すなわち、5G Systemは、Bearer-based QoSコンセプトの代わりにFlow-based QoS（or per-flow QoS）コンセプトを採用する。Flow-based QoS コンセプトでは、QoSはPDU flow単位で取り扱われる（handled）。5G UEとデータネットワークとの間の関連付け（association）は、PDUセッション（PDU session）と呼ばれる。PDUセッションは、LTE及びLTE-AdvancedのPDNコネクション（PDN connection）に相当する用語である。複数のPDU flowsが１つのPDUセッション内に設定されることができる。3GPP仕様は、5G Systemのために、LTEのQCIに相当する5G QoS Indicator（5QI）を規定する。
【０００７】
なお、PDU flow は、“QoS flow”とも呼ばれる。QoS flowは、5G system内でのQoS処理（treatment）の最も微細な粒度（finest granularity）である。PDU session内の同一のN3マーキング値を有するユーザプレーントラフィックがQoS flowに対応する。N3マーキングは、上述のPDU flow IDに対応し、QoS flow Identity（QFI）とも呼ばれ、さらにFlow Identification Indicator（FII）とも呼ばれる。ここで、少なくとも仕様に規定される各5QIとこれと同じ値（番号）を持つ対応するQFIとの間には１対１の関係がある（i.e., one-to-one mapping）。
【０００８】
図１は、5G systemの基本アーキテクチャを示している。UEは、gNBとの間に１又はそれ以上のシグナリング無線ベアラ（Signalling Radio Bearers（SRBs））及び１又はそれ以上のデータ無線ベアラ（Data Radio Bearers（DRBs））を確立する。5GC及びgNBは、UEのためのコントロールプレーン・インタフェース及びユーザプレーン・インタフェースを確立する。5GCとgNB（i.e., RAN）の間のコントロールプレーン・インタフェースは、N2インタフェース、NG2インタフェース、又はNG-cインタフェースと呼ばれ、Non-Access Stratum（NAS）情報の転送、及び5GCとgNB間の制御情報（e.g., N2 AP Information Element）に使用される。5GCとgNB（i.e., RAN）の間のユーザプレーン・インタフェースは、N3インタフェース、NG3インタフェース、又はNG-uインタフェースと呼ばれ、UEのPDUセッション内の１又はそれ以上のPDU flowsのパケット（packets）の転送に使用される。
【０００９】
なお、図１に示されたアーキテクチャは、複数の5Gアーキテクチャ・オプション（又は配置シナリオ（deployment scenarios））の１つに過ぎない。図１に示されたアーキテクチャは、“Standalone NR (in NextGen System)”又は“オプション２”と呼ばれるアーキテクチャである。3GPPは、さらに、E-UTRA及びNR無線アクセス技術（E-UTRA and NR radio access technologies）を使用するマルチ接続動作（multi-connectivity operation）のための幾つかのネットワーク・アーキテクチャを検討している。マルチ接続動作の代表例が、１つのマスターノード（Master node (MN)）と１つのセカンダリノード（Secondary node (SN)）が互いに連携して１つのUEと同時に通信するデュアル接続（Dual Connectivity (DC)）である。E-UTRA及びNR無線アクセス技術を使用するデュアル接続動作は、Multi-RAT Dual Connectivity (MR-DC)と呼ばれる。MR-DCは、E-UTRAノード及びNRノード（E-UTRA and NR nodes）の間のデュアル接続（connectivity）である。
【００１０】
MR-DCでは、E-UTRAノード（i.e., eNB）及びNRノード（i.e., gNB）のうち一方がマスターノード（Master node (MN)）として動作し、他方がセカンダリノード（Secondary node (SN)）として動作し、少なくともMNがコアネットワークに接続される。MNは１又はそれ以上のMaster Cell Group（MCG）セルをUEに提供し、SNは１又はそれ以上のSecondary Cell Group（SCG）セルをUEに提供する。MR-DCは、“MR-DC with the EPC” 及び“MR-DC with the 5GC”を含む。
【００１１】
MR-DC with the EPCは、E-UTRA-NR Dual Connectivity (EN-DC)を含む。EN-DCでは、UEはMNとして動作するeNB及びSNとして動作するgNBに接続される。さらに、eNB（i.e., Master eNB）はEPCに接続され、gNB（i.e. Secondary gNB）はX2 interfaceを介してMaster eNBに接続される。
【００１２】
MR-DC with the 5GCは、NR-E-UTRA Dual Connectivity (NE-DC)及びNG-RAN E-UTRA-NR Dual Connectivity (NG-EN-DC)を含む。NE-DCでは、UEはMNとして動作するgNB及びSNとして動作するeNBに接続され、gNB（i.e., Master gNB）は5GCに接続され、eNB（i.e. Secondary eNB）はXn interfaceを介してMaster gNBに接続される。一方、NG-EN-DCでは、UEはMNとして動作するeNB及びSNとして動作するgNBに接続され、eNB（i.e., Master eNB）は5GCに接続され、gNB（i.e. Secondary gNB）はXn interfaceを介してMaster eNBに接続される。
【００１３】
図２、図３、及び図４は、上述した３つのDCタイプ、すなわちEN-DC、NE-DC、及びNG-EN-DCのネットワーク構成をそれぞれ示している。なお、図２のEN-DCにおけるSecondary gNB（SgNB）はen-gNBとも呼ばれ、図３のNE-DCにおけるSecondary eNB（SeNB）および図４のNG-EN-DCにおけるMaster eNB（MeNB）は、ng-eNBとも呼ばれるが、本明細書ではgNBまたはeNBと記載する。さらに、5G Systemは、２つのgNBsの間のデュアルコネクティビティをサポートする。本明細書では、２つのgNBsの間のデュアルコネクティビティは、NR-NR DCと呼ばれる。図５は、NR-NR DCのネットワーク構成を示している。
【００１４】
NRは複数の周波数バンドに異なる無線パラメタセットを使用することが想定されている。各無線パラメタセットは、“numerology”と呼ばれる。Orthogonal Frequency Division Multiplexing（OFDM）システムのためのOFDM numerologyは、例えば、サブキャリア間隔（subcarrier spacing）、システム帯域幅（system bandwidth）、送信時間間隔の長さ（Transmission Time Interval (TTI) length）、サブフレーム長（subframe duration）、サイクリックプリフィックス長さ（Cyclic prefix length）、及びシンボル期間（symbol duration）を含む。5G systemは、異なるサービス要件の様々なタイプのサービス、例えば広帯域通信（enhanced Mobile Broad Band: eMBB）、高信頼・低遅延通信（Ultra Reliable and Low Latency Communication:  URLLC）、及び多接続M2M通信（massive Machine Type Communication: mMTC）を含む、をサポートする。Numerologyの選択は、サービス要件に依存する。
【００１５】
5G systemのUE及びNR gNBは、異なるnumerologiesの複数のNRキャリアのアグリゲーションをサポートする。3GPPでは、異なるnumerologiesの複数のNRキャリア（又はNRセル）のアグリゲーションが既存のLTE Carrier Aggregation（CA）のような低レイヤ・アグリゲーション（lower layer aggregation）又は既存のDual Connectivityのような高レイヤ・アグリゲーション（upper layer aggregation）によって実現されることが検討されている。
【００１６】
5G NRは、LTEのそれに比べてより広いチャネル帯域（channel bandwidths）（e.g., 100s of MHz）をサポートする。１つのチャネル帯域（i.e., BWChannel）は、１つのNRキャリアをサポートするradio frequency帯域（RF bandwidth）である。チャネル帯域は、システム帯域とも呼ばれる。LTEが20 MHzまでのチャネル帯域をサポートするのに対して、5G NRは例えば500 MHzまでのチャネル帯域（channel bandwidths）をサポートする。
【００１７】
複数の5Gサービス、例えばeMBBのような広帯域サービス及びInternet of Things（IoT）のような狭帯域サービスを効率的にサポートするためには、これら複数のサービスを１つのチャネル帯域上に多重できることが好ましい。さらに、もし全ての5G UEがチャネル帯域全体に対応した送信帯域（transmission bandwidth）での送信および受信をサポートしなければならないなら、これは狭帯域IoTサービスのためのUEsの低コスト及び低消費電力を妨げるかもしれない。したがって、3GPPは、各NRコンポーネントキャリアのキャリア帯域（i.e., チャネル帯域又はシステム帯域）内に１又はそれ以上のbandwidth parts（BWPs）が設定されることを許容する。１つのNRチャネル帯域内の複数のBWPsは、異なるnumerologies（e.g., subcarrier spacing（SCS））の周波数多重（frequency division multiplexing（FDM））のために使用されてもよい。なお、bandwidth partは、carrier bandwidth partとも呼ばれる。
【００１８】
１つのbandwidth part（BWP）は、周波数において連続的であり（frequency-consecutive）、隣接する（contiguous）physical resource blocks（PRBs）により構成される。１つのBWPの帯域（bandwidth）は、少なくともsynchronization signal (SS)/physical broadcast channel(PBCH) block帯域と同じ大きさである。BWPは、SS/PBCH block（SSB）を包含してもしなくてもよい。BWP configurationは、例えば、numerology、 frequency location、及びbandwidth（e.g., PRBsの数）を含む。frequency locationを指定するために、共通のPRB indexingが少なくともRadio Resource Control (RRC)connected状態でのダウンリンク（DL）BWP configurationのために使用される。具体的には、UEによってアクセスされるSSBの最低（the lowest）PRBへのPRB 0からのオフセットが上位レイヤシグナリング（higher layer signaling）によって設定される。参照（reference）ポイント“PRB 0”は、同じ広帯域コンポーネントキャリアを共用する全てのUEsに共通である。
【００１９】
１つのSS/PBCH blockは、NR synchronization signals（NR-SS）及びNR physical broadcast channel（NR-PBCH）のような、idleのUEのために必要な基本の信号（primary signals）を含む。NR-SSは、DL同期を得るためにUEにより使用される。Radio Resource Management (RRM) measurement（e.g., RSRP measurement）をidleのUEに可能にするために、Reference Signal（RS）がSS/PBCH blockにおいて送信される。当該RSは、NR-SSそれ自体であってもよいし、追加のRSであってもよい。NR-PBCHは、最小限のシステム情報（Minimum System Information (minimum SI)）の一部（例えば、Master Information Block (MIB)）をブロードキャストする。残りのminimum SI（remaining minimum SI（RMSI））は、Physical Downlink Shared Channel（PDSCH）で送信される。
【００２０】
ネットワークは、１つの広帯域コンポーネントキャリアのチャネル帯域内において複数の（multiple）SS/PBCH blocksを送信できる。言い換えると、チャネル帯域内の複数のBWPにおいてSS/PBCH blocksが送信されてもよい。第１案では、１つの広帯域キャリア内の全てのSS/PBCH blocksは、同一の物理レイヤセル識別子（physical-layer cell identity）に対応するNR-SS（e.g., primary SS (PSS)及びsecondary SS (SSS)）に基づく。第２案では、１つの広帯域キャリア内の異なるSS/PBCH blocksは、異なる物理レイヤセル識別子（physical-layer cell identities）に対応するNR-SSに基づいてもよい。
【００２１】
UEの視点（perspective）では、セルが１つのSS/PBCH blockに関連付けられる。したがって、UEのために、各サービングセルは、周波数において１つの関連付けられたSS/PBCH block （single associated SS/PBCH block）を持つ。なお、各サービングセルは、carrier aggregation (CA)及びdual connectivity (DC)でのprimary cell (PCell)、DCでのprimary secondary cell (PSCell)、又はCA及びDCでのsecondary cell (SCell)である。このようなSSBは、cell defining SS/PBCH blockと呼ばれる。Cell defining SS/PBCH blockは、関連付けられたRMSIを持つ。Cell defining SS/PBCH blockは、サービングセルの時間基準（time reference）又はタイミング基準（timing reference）の役割を果たす。また、Cell defining SS/PBCH blockは、SS/PBCH block (SSB) based RRM Measurementsのために使用される。Cell defining SS/PBCH blockは、PCell/PSCellに対して“synchronous reconfiguration” （例えば、RRC Reconfiguration procedureを用いたhandoverを伴わない無線リソース設定情報の再設定）によって、及びSCellに対して“SCell release/add”によって変更されることができる。
【００２２】
各コンポーネントキャリアのための１又は複数のBWP configurationsは、準静的に（semi-statically）UEにシグナルされる。具体的には、各UE-specificサービングセルのために、１又はそれ以上のDL BWPs及び１又はそれ以上のUL BWPsがdedicated RRCメッセージによってUEのために設定されることができる。さらに、UEのために設定された１又はそれ以上のBWPsは、活性化（activated）及び非活性化（deactivated）されることができる。BWPの活性化／非活性化は、RRCレイヤではなく、下位レイヤ（e.g., Medium Access Control（MAC）レイヤ、Physical（PHY）レイヤ）によって決定される。なお、活性化されたBWPを活性化BWP（active BWP）と呼ぶ。
【００２３】
活性化BWP（active BWP）の切り替えは、例えば、NR Physical Downlink Control Channel（PDCCH）で送信されるダウンリンク制御情報（Downlink Control Information（DCI））（e.g., scheduling DCI）によって行われてもよい。言い換えると、現在のactive BWPの非活性化（deactivation）と新規のactive BWPの活性化（activation）は、NR PDCCHのDCIによって行われてもよい。したがって、ネットワークは、例えばデータレートに応じて又はサービスによって要求されるnumerologyに応じて、BWPを活性化／非活性化することができ、UEのためのactive BWPをダイナミックに切り替えることができる。BWPの活性化／非活性化は、MAC Control Element（CE）によって行われてもよい。
【００２４】
図６及び図７は、BWPの使用例を示している。図６に示された例では、１つのコンポーネントキャリアのチャネル帯域がBWP #1及びBWP #2に分割され、これら２つのBWPsが異なるnumerologies（e.g., 異なるsubcarrier spacing）のFDMのために使用される。図７に示された例では、１つのコンポーネントキャリアのチャネル帯域の中に狭帯域なBWP #1が配置され、BWP #1よりも狭帯域なBWP #2がさらに配置されている。BWP #1又はBWP #2がUEに対して活性化されている場合、当該UEはactive BWPの外側（しかしチャネル帯域内）で受信及び送信を行わないことにより、電力消費を低減できる。
【００２５】
非特許文献１〜７は、上述されたBWP及びcell defining SS/PBCH blockについて開示している。
【００２６】
さらに、3GPPは、BWPsの使用に関連したRadio Link Monitoring（RLM）の要件を検討している（非特許文献８を参照）。なお、RLM手順は、同期外れ（out of synchronization（out-of-sync））の検出およびRadio Link Failure （RLF）の検出を目的としてサービングセルのダウンリンク無線品質を測定するために、connectedモード（i.e., RRC_CONNECTED）のUEによって使用される。
【００２７】
非特許文献８は、以下の事項を開示している。NRは、PCell及びPSCellのみでのRLMをサポートする。ConnectedモードのUEは、セル当たり１又は複数の（one or multiple）BWPsを準静的（semi-statically）に設定されることができる。UEは、gNBとの通信のための特定BWPを、設定された複数のBWPsの間で切り替えることができる。この切り替えは、幾つかのスケジューリング間隔（several scheduling intervals）のような短い時間スケールで行われる。この特定BWPは、すなわちactive BWPである。UEは、一度に（at a time）、１つのBWPにのみアクセスすることができる。Active BWPは、RLMのために設定されたChannel State Information Reference Signal（CSI-RS）を少なくとも持つ。CSI-RS及びSS/PBCH blockのうちいずれか１つのRSタイプがRLMのために一度に（at a time）モニターされるために設定される。異なるタイプのRS（すなわち、CSI-RS及びSS/PBCH block）が同時に（simultaneously）１つのBWPに設定される場合であっても、１つのRSのみがRLMのために選択され、当該選択されたRSに関するパラメータがRLMのために使用される。DL active BWPが切り替えられた（又は変更された）場合に、UEはRLMに関するon-going L3 parametersをキープすることが検討されている。この場合、DL active BWPが切り替えられても、UEは、RLMに関するL3 parametersをデフォルト値にリセットしない。
【００２８】
さらに、非特許文献９は、RRM測定のためにSS/PBCH block (SSB)がモニターされる場合（i.e., SS/PBCH block (SSB) based RRM Measurements）について以下の事項を開示している。 (SSB-based) Intra-frequency Measurementは、サービングセルの(cell defining) SSBの中心周波数と隣接セルの(cell defining) SSBの中心周波数が同じであり且つこれら２つのSSBのサブキャリア間隔（subcarrier spacing）が同じであるときの測定である。一方、(SSB-based) inter-frequency measurementは、サービングセルの(cell defining) SSBの中心周波数と隣接セルの(cell defining) SSBの中心周波数が異なるか、又はこれら２つのSSBのサブキャリア間隔（subcarrier spacing）が異なるときの測定である。
【００２９】
さらに、3GPPは、無線周波数（radio frequency(RF)）測定における測定ギャップ（measurement gaps）の必要性を検討している（非特許文献１０を参照）。非特許文献１０は、UEがそのactive BWPの外で測定を測定ギャップにおいて行うことを開示している。
【００３０】
なお、3GPP Release 14及びそれ以前は、inter-frequency measurementのための測定ギャップについて以下の規定を含む。3GPP Release 13以前では、CA及びDCの場合、activated CCsでの測定は測定ギャップなしで行われる。Inter-frequency measurements及びInter-RAT measurementsのために測定ギャップが必要であるか否かはUE capabilities（例えば、UEが複数のレシーバを持っているか否か）に依存する。サポートされ且つ測定される各バンドのためのmeasurement gapsの必要性をeNodeBに知らせるためにUE capability signallingが使用される。
【００３１】
さらに、3GPP Release 14では、eNBは、per-CC (per-serving cell) 測定ギャップをUEに設定することができる。セカンダリセル（SCell）は、MAC Control Element（CE）で活性化又は非活性化される。ただし、PCell及びPSCellはMAC CEでは変更されない。PCell及びPSCellが変更されない状況では、UEはRRC Connection reconfigurationで設定されたCC毎の（per-CC）測定ギャップを用いて、activated CC以外の他のCCを測定できる。
【先行技術文献】
【非特許文献】
【００３２】
【非特許文献１】3GPP R1-1711795, Ericsson, “On bandwidth parts and “RF” requirements”, TSG RAN1 NR Ad-Hoc#2, Qingdao, P.R. China, June 2017
【非特許文献２】3GPP R2-1707624, “LS on Bandwidth Part Operation in NR”, 3GPP TSG RAN WG2#99, Berlin, Germany, August 2017
【非特許文献３】3GPP R2-1710012, “LS on Further agreements for Bandwidth part operation”, 3GPP TSG RAN WG2 #99bis, Prague, Czech Republic, October 2017
【非特許文献４】3GPP R2-1710031, “Reply LS on multiple SSBs within a wideband carrier”, 3GPP TSG RAN WG2 #99bis, Prague, Czech Republic, October 2017
【非特許文献５】3GPP R2-1711640, ZTE Corporation, Sane Chips, “Initial discussion on the impacts of BWP on RAN2”, 3GPP TSG-RAN WG2 Meeting #99bis, Prague, Czech Republic, October 2017
【非特許文献６】3GPP R2-1711969, Ericsson, “Text Proposal for L1 parametrs for 38.331”, 3GPP TSG-RAN WG2 #99bis, Prague, Czech Republic, October 2017
【非特許文献７】3GPP R2-1709861, “LS on multiple SSBs within a wideband carrier”, 3GPP TSG RAN WG2#99, Berlin, Germany, August 2017
【非特許文献８】3GPP R2-1711404, Samsung, “RLM/RLF for bandwidth part”, 3GPP TSG RAN WG2 #99bis, Prague, Czech Republic, October 2017
【非特許文献９】3GPP R2-1710051, “LS on scenarios of multiple SSB”, 3GPP TSG RAN WG2 #99bis, Prague, Czech Republic, October 2017
【非特許文献１０】3GPP R2-1711187, Samsung, “Framework to support bandwidth parts in NR”, 3GPP TSG RAN WG2 #99bis, Prague, Czech Republic, October 2017
【発明の概要】
【発明が解決しようとする課題】
【００３３】
本件発明者は、１つのキャリア帯域内に複数のBWPsが設定される場合のRF測定（e.g., RLM測定、およびCSI測定）について詳細に検討し、幾つかの課題を見出した。例えば、connectedモード（e.g., NR RRC_CONNECTED）のUEがactive BWPと同じコンポーネントキャリア帯域（チャネル帯域）に属する他のBWPをRLM測定及びCSI測定等のためにモニターする場合を考える。この場合に、測定ギャップが必要であるか否かはUE Capabilitiesに依存すると考えられる。しかしながら、１つのキャリア帯域が複数のBWPsを含む場合に、これらBWPs間の測定のための測定ギャップをUE及びgNBがどのようにして設定するかが明確でないという課題がある。本明細書に開示される実施形態が達成しようとする目的の１つは、当該課題の解決に寄与する装置、方法、及びプログラムを提供することである。なお、この目的は、本明細書に開示される複数の実施形態が達成しようとする複数の目的の１つに過ぎないことに留意されるべきである。その他の目的又は課題と新規な特徴は、本明細書の記述又は添付図面から明らかにされる。
【課題を解決するための手段】
【００３４】
第１の態様では、無線端末は、メモリ及び前記メモリに結合された少なくとも１つのプロセッサを含む。前記少なくとも１つのプロセッサは、複数のダウンリンクbandwidth parts（BWPs）に含まれるBWPs間の測定のための測定ギャップの要否を示す表示（indication）を無線アクセスネットワーク（RAN）内の無線アクセスネットワーク（RAN）ノードに送信するよう構成される。前記複数のダウンリンクBWPsは、１つのシステム帯域内に含まれる。前記少なくとも１つのプロセッサは、さらに、前記複数のダウンリンクBWPsに含まれる１又はそれ以上のBWPsのための測定ギャップ設定を含む測定設定を前記RANノードから受信するよう構成される。
【００３５】
第２の態様では、無線アクセスネットワーク（RAN）ノードは、メモリ及び前記メモリに結合された少なくとも１つのプロセッサを含む。前記少なくとも１つのプロセッサは、複数のダウンリンクbandwidth parts（BWPs）に含まれるBWPs間の測定のための測定ギャップの要否を示す表示（indication）を無線端末から受信するよう構成される。前記複数のダウンリンクBWPsは、１つのシステム帯域内に含まれる。前記少なくとも１つのプロセッサは、さらに、前記複数のダウンリンクBWPsに含まれる１又はそれ以上のBWPsのための測定ギャップ設定を含む測定設定を前記無線端末に送信するよう構成される。
【００３６】
第３の態様では、無線端末における方法は、複数のダウンリンクbandwidth parts（BWPs）に含まれるBWPs間の測定のための測定ギャップの要否を示す表示（indication）を無線アクセスネットワーク（RAN）内の無線アクセスネットワーク（RAN）ノードに送信すること、ここで、前記複数のダウンリンクBWPsは、１つのシステム帯域内に含まれる；及び前記複数のダウンリンクBWPsに含まれる１又はそれ以上のBWPsのための測定ギャップ設定を含む測定設定を前記RANノードから受信すること、を含む。
【００３７】
第４の態様では、無線アクセスネットワーク（RAN）ノードにおける方法は、複数のダウンリンクbandwidth parts（BWPs）に含まれるBWPs間の測定のための測定ギャップの要否を示す表示（indication）を無線端末から受信すること、ここで、前記複数のダウンリンクBWPsは、１つのシステム帯域内に含まれる；及び前記複数のダウンリンクBWPsに含まれる１又はそれ以上のBWPsのための測定ギャップ設定を含む測定設定を前記無線端末に送信すること、を含む。
【００３８】
第５の態様では、プログラムは、コンピュータに読み込まれた場合に、上述の第３又は第４の態様に係る方法をコンピュータに行わせるための命令群（ソフトウェアコード）を含む。
【発明の効果】
【００３９】
上述の態様によれば、１つのキャリア帯域内の複数のBWPs間の測定のための適切な測定ギャップを無線端末に設定することを可能にするための装置、方法、及びプログラムを提供できる。
【図面の簡単な説明】
【００４０】
【図１】5G Systemの基本アーキテクチャを示す図である。
【図２】EN-DCのネットワーク構成を示す図である。
【図３】NE-DCのネットワーク構成を示す図である。
【図４】NG-EN-DCのネットワーク構成を示す図である。
【図５】NR-NR DCのネットワーク構成を示す図である。
【図６】Bandwidth part（BWP）の使用例を示す図である。
【図７】Bandwidth part（BWP）の使用例を示す図である。
【図８】BWP及びSS/PBCH blockの設定例を示す図である。
【図９】BWP及びSS/PBCH blockの設定例を示す図である。
【図１０】幾つかの実施形態に係る無線通信ネットワークの構成例を示す図である。
【図１１】第１の実施形態に係る無線端末の動作の一例を示すフローチャートである。
【図１２】第１の実施形態に係るRANノードの動作の一例を示すフローチャートである。
【図１３Ａ】Bandwidth part（BWP）の使用例を示す図である。
【図１３Ｂ】Bandwidth part（BWP）の使用例を示す図である。
【図１３Ｃ】Bandwidth part（BWP）の使用例を示す図である。
【図１４Ａ】測定ギャップ（measurement gaps）の必要性を示すシグナリングの一例を示す図である。
【図１４Ｂ】測定ギャップ（measurement gaps）の必要性を示すシグナリングの一例を示す図である。
【図１４Ｃ】測定ギャップ（measurement gaps）の必要性を示すシグナリングの一例を示す図である。
【図１５Ａ】測定ギャップ（measurement gaps）の必要性を示すシグナリングの一例を示す図である。
【図１５Ｂ】測定ギャップ（measurement gaps）の必要性を示すシグナリングの一例を示す図である。
【図１５Ｃ】測定ギャップ（measurement gaps）の必要性を示すシグナリングの一例を示す図である。
【図１６】第２の実施形態に係るRANノード及び無線端末の動作の一例を示すシーケンス図である。
【図１７】第３の実施形態に係るRANノード及び無線端末の動作の一例を示すシーケンス図である。
【図１８】第４の実施形態に係るRANノード及び無線端末の動作の一例を示すシーケンス図である。
【図１９】幾つかの実施形態に係るRANノードの構成例を示すブロック図である。
【図２０】幾つかの実施形態に係る無線端末の構成例を示すブロック図である。
【発明を実施するための形態】
【００４１】
以下では、具体的な実施形態について、図面を参照しながら詳細に説明する。各図面において、同一又は対応する要素には同一の符号が付されており、説明の明確化のため、必要に応じて重複説明は省略される。
【００４２】
以下に説明される複数の実施形態は、独立に実施されることもできるし、適宜組み合わせて実施されることもできる。これら複数の実施形態は、互いに異なる新規な特徴を有している。したがって、これら複数の実施形態は、互いに異なる目的又は課題を解決することに寄与し、互いに異なる効果を奏することに寄与する。
【００４３】
以下に示される複数の実施形態は、3GPP 5G systemを主な対象として説明される。しかしながら、これらの実施形態は、他の無線通信システムに適用されてもよい。
【００４４】
初めに、図８及び図９を参照して、１つのシステム帯域内が複数のBWPsを含むケースに関する用語の定義を説明する。図８及び図９は、BWP及びSS/PBCH blockの設定例を示している。図８及び図９に示された例では、１つのチャネル帯域内が３つのBWPs、すなわちBWP #1、BWP #2、及びBWP #3を含む。BWP #1及びBWP #2はSS/PBCH block（SSB）#1及びSSB #2をそれぞれ包含し、一方BWP #3はSS/PBCH blockを包含しない。
【００４５】
ネットワークの観点（perspective）では、既存のLTEと同様に、１つのコンポーネントキャリアの全体帯域（i.e., チャネル帯域又はシステム帯域）が１つのセルに相当する。図８及び図９の例では、チャネル帯域に対応するセルに関連付けられたPhysical Cell Identity(PCI）は“PCIx”である。
【００４６】
本明細書では、ネットワーク観点（perspective）でのセルを“論理セル（logical cell）”と定義する。さらに、ネットワーク観点セル（i.e., 論理セル）に関連付けられたPCIを基準PCIと定義する。なお、ネットワーク観点セル（i.e., 論理セル）は、１つのCell Identityに関連付けられてもよい。この場合、ネットワーク視点セル（i.e., 論理セル）のCell Identityが、後述する複数の物理セルの（サブ）PCIsと関連付けられてもよい。
【００４７】
一方、既に説明したように、UE観点（perspective）では、セルが１つのSS/PBCH blockに関連付けられる。本明細書では、UE観点でのセルを“物理セル（physical cell）”と定義する。さらに、UE観点セル（i.e., 物理セル）に関連付けられたPCIをサブPCIと定義する。すなわち、１つのシステム帯域内に含まれており且つ各々がSS/PBCH blockを含む複数のBWPsは、複数のUE観点セル（i.e., 複数の物理セル）である。これら複数のUE観点セル（物理セル）のサブPCIsは、ネットワーク観点セル（i.e., 論理セル）の１つの基準PCI又は１つのCell Identityに関連付けられる。さらに、SS/PBCH blockを含まないBWPは、UE観点セル（物理セル）として定義されてもよいし、SS/PBCH blockを含まないBWPとこれが参照するSS/PBCH blockを含むBWPのグループがUE観点セル（物理セル）として定義されてもよい。なお、ネットワーク観点でも、ネットワーク（e.g., RANノード）がUEとの通信に実際に使用する単位システム帯域は、それぞれのUE観点セル（物理セル）である。
【００４８】
図８の例では、３つのBWPsが同一のnumerology（i.e., numerology #1）をサポートし、１つのチャネル帯域内の全てのSS/PBCH blocks（i.e., SSB #1及びSSB #2）が同一の（サブ）PCI（i.e., PCIx）に対応するNR-SSに基づく。すなわち、図８は、チャネル帯域内での複数の（multiple）SS/PBCH blocksの送信に関して上述された第１案に対応する。SSBを包含しないBWP #3にUEが同期するために、他のBWPsで送信されるSSB #1又はSSB #2が参照される。このとき、参照されるSSB #1又はSSB #2を参照SSB（reference SSB）と呼び、UEは参照SSBの識別子（SSB index, e.g., SSB #1 or #2）をネットワークから通知されてもよい。
【００４９】
図９の例では、BWP #1がnumerology #1をサポートし、BWP #2及びBWP #3がnumerology #2をサポートする。異なるnumerologiesのための異なるSSBs #1及び#2は、異なる（サブ）PCIs（i.e., PCIx及びPCIy）に対応するNR-SSに基づく。すなわち、図９は、チャネル帯域内での複数の（multiple）SS/PBCH blocksの送信に関して上述された第２案に対応する。SSBを包含しないBWP #3にUEが同期するために、例えば、BWP #3と同じnumerologyをサポートするBWP #2のSSB #2が参照される。これに代えて、SSBを包含しないBWP #3にUEが同期するために、UEは、BWP #3のnumerologyとは異なるnumerologyをサポートするBWP #1のSSB #1を参照してもよい。
【００５０】
図８の例では、１つのネットワーク観点セル（i.e., 論理セル）の基準PCI（i.e., PCIx）又はCell Identityに、２つのUE観点セル（物理セル）のサブPCIs（i.e., PCIx及びPCIx）が関連付けられる。図９の例では、１つのネットワーク観点セル（i.e., 論理セル）の基準PCI（i.e., PCIx）又はCell Identityに、２つのUE観点セル（物理セル）のサブPCIs（i.e., PCIx及びPCIy）が関連付けられる。
【００５１】
ネットワーク（e.g., RANノード）は、１つ又はそれ以上のBWPsを含むBWPセットをUEに設定してもよい。言い換えると、UEは、１つ又はそれ以上のBWPsの設定情報（e.g., SSB indexes, presence of SSBs, reference SSB indexes, Layer-1 parameters）をネットワークから受信する。BWPセットは、ダウンリンク（DL）及びアップリンク（UL）に個別に設定されてもよい。つまり、BWPセットは、DL及びULに個別のDL BWPセット及び UL BWPセットを含んでもよい。これに代えて、UL BWPとDL BWPとが予め関連付けられてもよく、この場合のBWPセットは、DL及びULに共通であってもよい。UEは（DL/UL） BWPセットに含まれるK個のBWPsのうち、k個（k <= K）のBWPを活性化（activate）することができる。言い換えると、あるUEに対して、K個までの（DL/UL）BWP(s)が一度に活性化されることができる。以降の説明では、簡略化のために、１つのBWP（i.e. k=1）が活性化（activate）されることを想定する。しかし、本実施形態及び後続の実施形態は、２つ以上（k>=2）のBWPsが一度に活性化される場合にも適宜適用できる。
【００５２】
さらに、本明細書は、用語“BWPグループ”を導入する。BWPグループは、BWPセットに包含される。BWPグループは、NR PDCCHで送信されるDCIによってactive BWPを変更されることができる１又はそれ以上のBWPsから構成される。BWPグループに含まれる１又はそれ以上のBWPsの間では、Cell defining SSBの変更を伴わずにactive BWPが変更されることができる。従って、BWPグループは、１つのcell defining SSBに関連付けられた１又はそれ以上のBWPsであると定義されてもよい。１つのBWPグループは、cell defining SSBを包含する１つのBWP（e.g.,基準BWP、イニシャルBWP、デフォルトBWP）と他の１又はそれ以上のBWPsを含んでもよい。基準BWP（又はイニシャルBWP、デフォルトBWP）ではない他の１又はそれ以上のBWPsの各々は、SSBを含んでもよいし、含まなくてもよい。UEはどのSSBがcell defining SSBであるかを明示的に指定・設定されてもよいし、UEが当該BWPグループを設定された時の最初のBWPのSSBをcell defining SSBであると暗黙的（implicitly）に考えてもよい。
【００５３】
BWPグループは、ダウンリンク（DL）及びアップリンク（UL）に個別に設定されてもよい。つまり、BWPグループは、DL及びULに個別のDL BWPグループ及び UL BWPグループを含んでもよい。これに代えて、UL BWPとDL BWPとが予め関連付けられてもよく、この場合のBWPグループは、DL及びULに共通であってもよい。
【００５４】
図８の例において、BWP #1から#3が１つのBWPセットとしてUEに設定される。図８の例では、UEは、BWP #3に同期するために（つまりBWP #3において同期確立するために）、BWP #1で送信されるSSB #1を参照してもよい。この場合、BWP #1及びBWP #3が１つのBWPグループに対応し、BWP #2が別の１つのBWPグループに対応してもよい。つまり、１つのBWPセット（BWPs #1, #2, and #3）は、第１のBWPグループ（BWPs #1 and #3）及び第２のBWPグループ（BWP #2）を含んでもよい。これに代えて、１つのBWPセット（BWPs #1, #2, and #3）は、第１のBWPグループ（BWP #1）及び第２のBWPグループ（BWPs #2 and #3）を含んでもよい。さらにこれに代えて、１つのBWPセット（BWPs #1, #2, and #3）は、１つのBWPグループ（BWPs #1, #2, and #3）に対応してもよい。この場合、SSB #1及びSSB #2のうち１つがUEのためのcell defining SSBとされる。
【００５５】
図９の例でも、BWP #1から#3が１つのBWPセットとしてUEに設定される。一例では、numerology #1のBWP #1が１つのBWPグループに対応し、numerology #2のBWP #2及びBWP #3が別の１つのBWPグループに対応してもよい。つまり、１つのBWPセット（BWPs #1, #2, and #3）は、第１のBWPグループ（BWPs #1）及び第２のBWPグループ（BWP #2 and #3）を含んでもよい。なお、既に説明したとおり、異なるnumerologiesのBWPsが１つのBWPグループに含まれてもよい。したがって、他の例では、１つのBWPセット（BWPs #1, #2, and #3）は、第１のBWPグループ（BWPs #1 and #3）及び第２のBWPグループ（BWP #2）を含んでもよい。さらにこれに代えて、１つのBWPセット（BWPs #1, #2, and #3）は、１つのBWPグループ（BWPs #1, #2, and #3）に対応してもよい。この場合、SSB #1及びSSB #2のうち１つがUEのためのcell defining SSBとされる。
【００５６】
既に説明したように、BWPの活性化／非活性化は、RRCレイヤではなく、下位レイヤ（e.g., Medium Access Control（MAC）レイヤ、Physical（PHY）レイヤ）によって行われてもよい。DL BWPの活性化／非活性化のためにタイマ（e.g. MACレイヤのBWP Inactivity Timer）が使用されてもよい。UEは、gNBにより送信される設定値に基づくタイマに従ってactive BWPを切り替えてもよい。当該タイマが示す期間（periodまたはduration）は、subframe単位で示されてもよい。例えば、UEがactive BWPにおいて、所定期間（つまりタイマの満了値）データの送信または受信を行わなかった場合、所定のBWP（e.g., default BWP, cell defininig SSBを含むBWP）のactive BWPを変更するようにしてもよい。同様のタイマに基づくactive BWP変更の判断を、ネットワーク（e.g., RANノード）も行ってもよい。
【００５７】
＜第１の実施形態＞
図１０は、本実施形態を含む幾つかの実施形態に係る無線通信ネットワークの構成例を示している。図１０の例では、無線通信ネットワークは、RANノード１１及び無線端末（UE）１２を含む。RANノード１１は、例えば、gNB、又はMR-DCでのeNBである。RANノード１１は、cloud RAN（C-RAN）配置（deployment）におけるCentral Unit（CU）（e.g., gNB-CU）であってもよく、Distributed Unit（DU）（e.g., gNB-DU）であってもよい。Central Unit（CU）は、Baseband Unit（BBU）又はdigital unit（DU）とも呼ばれる。Distributed Unit（DU）は、Radio Unit（RU）、Remote Radio Head（RRH）、Remote Radio Equipment（RRE）、又はTransmission and Reception Point（TRP又はTRxP）とも呼ばれる。
【００５８】
UE１２は、エアインタフェース１００１を介して、RANノード１１に接続される。なお、UE１２は、デュアルコネクティビティのために複数のRANノードに同時に接続されてもよい。Connected modのUE１２は、セル当たり１又は複数の（one or multiple）BWPsを準静的（semi-statically）に設定されることができる。UE１２は、RANノード１１（e.g., MgNB）又は他のRANノード（e.g., SgNB）との通信のためのactive BWPを、設定された複数のBWPsの間で切り替えることができる。この切り替えは、例えば、幾つかのスケジューリング間隔（several scheduling intervals）のような短い時間スケールで行われる。
【００５９】
UE１２は、connectedモード（e.g., NR RRC_CONNECTED）であるときに、RLM手順を実行する。RLM手順では、UE１２は、RLM測定を行う。言い換えると、UE１２は、同期外れ（out of synchronization（out-of-sync））の検出およびRadio Link Failure （RLF）の検出を目的としてサービングセルのダウンリンク無線品質を測定する。なお、UE１２は、デュアルコネクティビティのために複数のRANノードに同時に接続されてもよい。この場合、UE１２は、PCellでのRLM及びPSCellでのRLMを同時に行なってもよい。
【００６０】
また、UE１２は、connectedモード（e.g., NR RRC_CONNECTED）であるときに、CSI測定を実行してもよい。CSI測定は、UE１２がconnectedモード（e.g., NR RRC_CONNECTED）であるときに、スケジューリング及びリンクアダプテーションの少なくとも一方のために使用されるChannel Quality Indicator（CQI）を含むレポートをRANノード１１に送信することを目的としてサービングセルのDL無線品質を測定することを含む。なお、UE１２は、デュアルコネクティビティのために複数のRANノードに同時に接続されてもよい。この場合、UE１２は、MCGでのCSI測定及びSCGでのCSI測定を同時に行なってもよい。
【００６１】
さらにまた、UE１２は、connectedモード（e.g., NR RRC_CONNECTED）であるときに、RRM測定を実行してもよい。例えば、connectedモードでのRRM測定では、UE１２は、サービングセル及び隣接セルのRSRP及びRSRQを測定し、ハンドオーバをトリガーするためのRRM報告イベントをRANノード１１に送信する。
【００６２】
各BWPは、RLM測定、RRM測定、及びCSI測定のために使用されることができるCSI-RSを少なくとも持つ。Active BWPは、SS/PBCH block（SSB）を包含してもしなくてもよい。CSI-RS及びSS/PBCH blockのうちいずれか１つのRSタイプがRLMのために一度に（at a time）モニターされるために設定される。異なるタイプのRS（すなわち、CSI-RS及びSS/PBCH block）が同時に（simultaneously）１つのBWPに設定される場合であっても、１つのRSのみがRLMのために選択され、当該選択されたRSに関するパラメータがRLMのために使用される。
【００６３】
RANノード１１は、UE１２に測定設定を供給する。当該測定設定は、UE１２によって行われるRF測定に関する。RF測定は、RLM測定、CSI測定、及びRRM測定のうち少なくとも１つを含む。したがって、当該測定設定は、RLM測定設定、CSI測定設定、及びRRM測定設定のうち少なくとも１つを含む。
【００６４】
RLM測定設定は、RLF関連設定と呼ばれてもよい。RLM測定設定は、例えば、RLMのためのパラメータを含む。RLMのためのパラメータは、例えば、out-of-syncの所定数、in-syncの所定数、及びRLFタイマの満了期間（最大時間）を含む。Out-of-syncの所定数は、UEが無線リンク自己リカバリ（self-recovery）プロセスを開始する前に下位レイヤ（lower layers）から受信される連続する（consecutive）“out-of-sync”表示（indications）の数である。In-syncの所定数は、無線リンクが回復した（has recovered）とUEが判断する前に下位レイヤ（lower layers）から受信される連続する“in sync”表示（indications）の数である。RLFタイマは、RLFを判定する（又は検出する）ために使用される。UEは、所定数の連続out-of-sync表示を受信した場合、RLFタイマをスタートし、もし所定数の連続in-sync表示を受信したらRLFタイマを停止する。RLFタイマの満了期間（最大時間）は、UEによって動的に行われる無線リンクのリカバリに許容される最大時間に相当する。RLFタイマの満了に応答して、UEはRLFを検出する。
【００６５】
CSI測定設定は、例えば、CSI測定が行われるべきサブフレームセットを示す。
【００６６】
RRM測定設定は、例えば、RRM報告設定（reporting configuration: ReportConfig）を含む。RRM報告設定は、１又はそれ以上のRRM報告イベントの各々の判定のために使用されるパラメータ（e.g., 閾値又はオフセット又は両方）を示す。一例として、BWPsに関するRRM報告イベントは、隣接セルのBWPがサービングセル（PCell/PSCell）のactive BWPに比べてオフセットの量（amount of offset）よりも良好になったことであってもよい。BWPsに関するRRM報告イベントは、ハンドオーバ、CA、及びDCに関する既存の報告イベント（e.g., イベントA1〜A6、並びにC1及びC2）を修正することにより定義されてもよい。
【００６７】
例えば、BWPsに関するRRM報告イベントは、既存の報告イベントにおける“Serving”を“active BWP”（又は“default BWP”）と読み替えることにより定義されてもよい。さらに、BWPsに関するRRM報告イベントは、既存の報告イベントにおける“Neighbour”を（MeasObjectでconfigureされた）“BWP”と読み替えることにより定義されてもよい。BWPsに関するRRM報告イベントは、以下を含んでもよい：
・Event D1: Serving BWP becomes better than absolute threshold;
・Event D2: Serving BWP becomes worse than absolute threshold;
・Event D3: Neighbour BWP becomes amount of offset better than Primary BWP(or ・default BWP);
・Event D4: Neighbour BWP becomes better than absolute threshold;
・Event D5: Primary BWP(or default BWP) becomes worse than absolute threshold1 AND Neighbour BWP becomes better than another absolute threshold2;
・Event D6: Neighbour BWP becomes amount of offset better than Secondary BWP.
【００６８】
なお、MeasObjectにおいて測定のために指定されるセルリスト（e.g., cellToAddModList）は、対象となるセルの識別子（e.g., Cell Index, PCI）を含む。しかし、SSBを含まないBWPはそれ自体の特有の（サブ）PCIを持たない。そのため、SSBを含まないBWPに対する測定の代わりに、cell defining SSBに対する測定が行われてもよい。あるいは、SSBを含まないBWPを指定するために、当該BWPに関連付られたcell defining SSBを含むBWPのPCI（つまりcell defining SSBで指定されるPCI）、又は仮想的なPCI（e.g., virtual PCI）がこれに割り当てられてもよいし、BWP indexが代替（代用）の識別子として使用されててもよい。
【００６９】
UE１２は、１つのコンポーネントキャリア帯域（i.e., システム帯域又はチャネル帯域）内に含まれる１又はそれ以上のDL BWPsをRANノード１１によって設定されることができる。UE１２は、システム帯域内でのBWPs間の測定（inter-BWP measurement）を周波数間測定（inter-frequency measurement）として取り扱う。当該測定は、UE１２に設定されたUE観点のサービングセル（物理セル）に対応するBWPセット又はBWPグループ内でのRLM測定又はRRM測定であってもよい。さらに又はこれに代えて、当該測定は、UE１２に設定されたUE観点サービングセル（物理セル）に対応するBWPセット内のいずれかのBWPとBWPセット外のBWP(s)（つまり、当該システム帯域内の隣接セル（物理セル）に相当するBWP(s)）との間のRRM測定であってもよい。なお、BWPセット外のBWP(s)を測定するための設定は、測定（e.g., RRM測定）のために必要な情報を少なくとも含んでいればよく、通常のBWPに関する情報（e.g. UEが滞在する為に必要なBWPの設定情報）を含んでいなくてもよい。それらのBWP（及びBWPセット）を総称するために、測定BWPセットとの用語が定義されてもよい。
【００７０】
図１１は、UE１２によって行われる動作の一例（処理１１００）を示すフローチャートである。ステップ１１０１では、UE１２は、測定ギャップの要否を示す表示（indication）をRANノード１１に送信する。当該表示は、複数のDL BWPsに含まれるBWPs間（つまり、周波数及びnumerologyの少なくとも一方が異なるDL BWPs間）の測定のための測定ギャップの要否を示す。ステップ１１０２では、UE１２は、これら複数のDL BWPsに含まれる１又はそれ以上のBWPsの測定のための測定ギャップ設定を含む測定設定（e.g., RRM測定設定）をRANノード１１から受信する。
【００７１】
測定ギャップ（measurement gaps）は、UEアップリンク及びダウンリンク送信がスケジュールされない期間（time period）であり、したがってUEは測定（measurements）を行うことができる。言い換えると、測定ギャップ（measurement gaps）は、UEが測定（measurements）のために使用してもよい期間を定義する。
【００７２】
図１２は、RANノード１１の動作の一例（処理１２００）を示すフローチャートである。ステップ１２０１では、RANノード１１は、複数のDL BWPsに含まれるBWPs間の測定のための測定ギャップの要否を示す表示（indication）をUE１２から受信する。ステップ１２０２では、RANノード１１は、これら複数のDL BWPsに含まれる１又はそれ以上のBWPsの測定のための測定ギャップ設定を含む測定設定をUE１２に送信する。
【００７３】
幾つかの実装において、BWPs間の測定のための測定ギャップの要否を示す当該表示は、複数のDL BWPsのうちUE１２のために活性化されるBWPとは異なる１又はそれ以上のBWPsの測定のためにUE１２が測定ギャップを必要とするか否かを示してもよい。UE１２のために活性化されるBWPは、つまりサービングセル（物理セル）に対応するBWPである。言い換えると、当該表示は、UE１２のために１つのBWPが活性化される場合に、UE１２が当該active BWPとは異なる他のBWP(s)の測定のために測定ギャップを必要とするか否かを示してもよい。例えば、当該表示は、BWP #1がUE１２のために活性化される場合に、BWP #2及びBWP #3の少なくとも一方の測定のために測定ギャップが必要とされることを示してもよい。ここで、BWP #1、BWP #2、及びBWP #3は、１つのコンポーネントキャリア帯域（i.e., システム帯域又はチャネル帯域）内に含まれる。
【００７４】
幾つかの実装において、BWPs間の測定のための測定ギャップの要否を示す当該表示は、複数のDL BWPsのうちUE１２のために活性化されるBWPとは異なる１又はそれ以上のBWPsに関して、UE１２が測定ギャップを必要とするか否かをBWP毎に示してもよい。言い換えると、当該表示は、複数のDL BWPsのうちUE１２のために活性化されるBWPとは異なる特定のBWP(s)の測定のためにUE１２が測定ギャップを必要とするか否かを示してもよい。例えば、当該表示は、BWP #1がUE１２のために活性化される場合に、BWP #2の測定のために測定ギャップが必要とされ、一方でBWP #3の測定のために測定ギャップが不要であることを示してもよい。
【００７５】
幾つかの実装において、BWPs間の測定のための測定ギャップの要否を示す当該表示は、複数のDL BWPsに含まれる全てのBWPペア（又はRANノードから指定された特定のBWPペア）に関する情報を含んでもよい。より具体的には、当該表示は、各BWPペアのうち一方のBWPがUE１２のために活性化されるときに各BWPペアのうち他方のBWPの測定のためにUE１２が測定ギャップを必要とするか否かを示してもよい。さらに、この方法は、複数のDL BWPsに含まれる３つ以上のBWPsの組み合わせ（BWPコンビネーション（BWP combination: BwC））に対して適用されてもよい。例えば、各BWPコンビネーションのうち１つのBWPがUE１２のために活性化されるときに各BWPコンビネーションのうち残りのBWP(s)それぞれの測定のためにUE１２が測定ギャップを必要とするか否かを示してもよい。
【００７６】
当該測定ギャップ設定（これは、RANノード１１からUE１２に送られる）は、これら複数のDL BWPsのうちの１つがUE１２のために活性化されるときに、当該active BWPとは異なる１又はそれ以上のBWPsをUE１２が測定するための測定ギャップに関する設定を示す。測定ギャップ設定は、例えば、測定ギャップの有無、測定ギャップの長さ、及び測定ギャップのパターンのうち少なくとも１つを示す。例えば、当該測定ギャップ設定は、BWP #1がUE１２のために活性化される場合の測定ギャップの有無を示してもよい。もしBWP #1のための測定ギャップが設定されると、UE１２は、BWP #2及びBWP #3の少なくとも一方の測定を当該測定ギャップにおいて実行してもよい。
【００７７】
UE１２は、UE１２のRFレシーバ構成および同時に設定されたBWPsの数（言い換えると、設定されたBWPグループに含まれるBWPsの数）に依存して、BWPs間測定のための測定ギャップの要否を示す表示を決定してもよい。具体的には、UE１２は、当該表示を生成するために、UE１２に備えられたRFレシーバの数を考慮してもよい。RFレシーバは、RF chainとも呼ばれる。
【００７８】
以下では、図１３Ａ〜１３Ｃ、図１４Ａ〜１４Ｃ、並びに図１５Ａ〜１５Ｃを参照して、BWPs間の測定のための測定ギャップの要否を示す表示（これは、UE１２からRANノード１１に送られる）の幾つかの例が説明される。ここでは、一例として、UE１２が、２つのRF chains（i.e., RF chain #1及びRF chain #2）を持つ場合を考える。さらに、ここでは、UE１２が持つ各RF chainがカバーできる帯域（RF帯域とも呼ぶ）は、１つのBWPの帯域より大きいが、２つのBWPの帯域の合計よりも小さい場合を想定する。従って、１つのRF chainを用いて複数のBWPを測定する場合、UE１２は、当該RF chain内で適宜RF（周波数）切り替えを行いながら、各BWPで信号を順番に受信する必要がある。
【００７９】
図１３Ａ〜１３Ｃは、１つのコンポーネントキャリア帯域内に設定される１又はそれ以上のBWPs（i.e. BWPセット）の３つの例を示している。図１３Ａの例では、１つのコンポーネントキャリア帯域（チャネル帯域又はシステム帯域）内に３つのBWPグループが設定される。各BWPグループは１つのBWPから成る。すなわち、図１３Ａに示されたBWP #1、BWP #2、及びBWP #3は、SSB #1、SSB #2、及びSSB #3をそれぞれ含む。本明細書の用語の定義に従うと、図１３Ａの例は、１つのネットワーク観点セル（i.e., 論理セル）が３つのUE観点セル（i.e., 物理セル）を含む。これら３つのBWPs（つまり、３つの物理セル）の間でのactive BWPの切り替えは、BWPグループ間（i.e., 物理セル間）でのactive BWPの切り替えに相当し、したがってRRCシグナリング（e.g., RRC Reconfigurationメッセージ）によって行われる。例えば、UE１２は、RF chain #1によって順次BWP #1及びBWP #2で信号を受信し、RF chain #2によってBWP #3で信号を受信する。
【００８０】
図１３Ｂの例では、１つのコンポーネントキャリア帯域（チャネル帯域又はシステム帯域）内に２つのBWPグループが設定される。これら２つのBWPグループのうち１つは、BWP #1及びBWP #2を含み、他方はBWP #3を含む。BWP #1及びBWP #2は、BWP #1内の（cell defining）SSB #1に関連付けられる。BWP #3は、BWP #3内の（cell defining）SSB #3に関連付けられる。本明細書の用語の定義に従うと、図１３Ｂの例は、１つの論理セルが２つの物理セルを含む。BWP #1とBWP #2の間でのactive BWPの切り替えは、１つのBWPグループ（i.e., １つの物理セル）内でのactive BWPの切り替えに相当し、したがってPDCCH/DCI、すなわちNR PDCCHで送信されるDCIによって行われる。一方、BWP #1とBWP #3の間及びBWP #2とBWP #3の間でのactive BWPの切り替えは、BWPグループ間（i.e., 物理セル間）でのactive BWPの切り替えに相当し、したがってRRCシグナリング（e.g., RRC Reconfigurationメッセージ）によって行われる。例えば、UE１２は、RF chain #1によって順次BWP #1及びBWP #2で信号を受信し、RF chain #2によってBWP #3で信号を受信する。
【００８１】
図１３Ｃの例では、１つのコンポーネントキャリア帯域（チャネル帯域又はシステム帯域）内に１つのBWPグループが設定される。このBWPグループは、BWP #1、BWP #2、及びBWP #3を含む。これら３つのBWPsは、BWP #1内の（cell defining）SSB #1に関連付けられる。本明細書の用語の定義に従うと、図１３Ｃの例は、１つの論理セルが１つの物理セルを含む。これら３つのBWPs（つまり、３つの物理セル）の間でのactive BWPの切り替えは、１つのBWPグループ（i.e., １つの物理セル）内でのactive BWPの切り替えに相当し、したがってPDCCH/DCIによって行われる。例えば、UE１２は、RF chain #1によってBWP #1で信号を受信し、RF chain #2によって順次BWP #2及びBWP #3で信号を受信する。
【００８２】
図１４Ａ〜１４Ｃは、UE１２による測定ギャップの要否の表示の一例を示している。図１４Ａ〜１４Ｃの例では、UE１２は、これら３つのDL BWPsのうちUE１２のために活性化されるBWPとは異なる１又はそれ以上のBWPsに関して、UE１２がBWPs間の測定のために測定ギャップを必要とするか否かをRANノード１１に知らせる。
【００８３】
図１４Ａは、図１３ＡのBWP設定に対応する。UE１２は、active BWP がBWP #1であるときに、BWP #2の測定のために測定ギャップを必要とし、BWP #3の測定のために測定ギャップが不要であることを示す表示をRANノード１１に送信する。UE１２は、active BWP がBWP #2であるときに、BWP #1の測定のために測定ギャップを必要とし、BWP #3の測定のために測定ギャップが不要であることを示す表示をRANノード１１に送信する。UE１２は、active BWP がBWP #3であるときに、BWP #1及びBWP #2の測定のために測定ギャップが不要であることを示す表示をRANノード１１に送信する。
【００８４】
図１４Ｂは、図１３ＢのBWP設定に対応する。図１４Ｂの場合、UE１２は、図１４Ａの場合と同様の測定ギャップの要否に関する表示をRANノード１１に送信する。
【００８５】
図１４Ｃは、図１３ＣのBWP設定に対応する。UE１２は、active BWP がBWP #1であるときに、BWP #2及びBWP #3の測定のために測定ギャップが不要であることを示す表示をRANノード１１に送信する。UE１２は、active BWP がBWP #2であるときに、BWP #3の測定のために測定ギャップを必要とし、BWP #1の測定のために測定ギャップが不要であることを示す表示をRANノード１１に送信する。UE１２は、active BWP がBWP #3であるときに、BWP #2の測定のために測定ギャップを必要とし、BWP #1の測定のために測定ギャップが不要であることを示す表示をRANノード１１に送信する。
【００８６】
図１５Ａ〜１５Ｃは、UE１２による測定ギャップの要否の表示の他の例を示している。図１５Ａ〜１５Ｃの例では、UE１２は、これら３つのDL BWPsに含まれる３通りのBWPペアに関する情報をRANノード１１に送る。より具体的には、UE１２は、各BWPペアのうち一方のBWPがUE１２のために活性化されるときに各BWPペアのうち他方のBWPの測定のためにUE１２が測定ギャップを必要とするか否かをRANノード１１に知らせる。
【００８７】
図１５Ａは、図１３ＡのBWP設定に対応する。UE１２は、BWP #1及びBWP #2のペアに関して測定ギャップが必要であることを示す表示をRANノード１１に送信する。当該表示は、BWP #1及びBWP #2のうち一方（e.g., BWP #1）がactive BWPであるときに、他方（e.g., BWP #2）の測定のために測定ギャップが必要であることを意味する。UE１２は、BWP #1及びBWP #3のペアに関して測定ギャップが不要であることを示す表示をRANノード１１に送信する。当該表示は、BWP #1及びBWP #3のうち一方（e.g., BWP #1）がactive BWPであるときに、他方（e.g., BWP #3）の測定のために測定ギャップが不要であることを意味する。同様に、UE１２は、BWP #2及びBWP #3のペアに関して測定ギャップが不要であることを示す表示をRANノード１１に送信する。
【００８８】
図１５Ｂは、図１３ＢのBWP設定に対応する。図１５Ｂの場合、UE１２は、図１５Ａの場合と同様の測定ギャップの要否に関する表示をRANノード１１に送信する。
【００８９】
図１５Ｃは、図１３ＣのBWP設定に対応する。UE１２は、BWP #1及びBWP #2のペアに関して測定ギャップが不要であることを示す表示をRANノード１１に送信する。同様に、UE１２は、BWP #1及びBWP #3のペアに関して測定ギャップが不要であることを示す表示をRANノード１１に送信する。一方、UE１２は、BWP #2及びBWP #3のペアに関して測定ギャップが必要であることを示す表示をRANノード１１に送信する。
【００９０】
RANノード１１は、UE１２における測定ギャップの必要性を考慮して決定された測定ギャップ設定をUE１２に送信すればよい。具体的には、例えば、RANノード１１は、図１４Ａに示された情報をUE１２から受信したことに応答して、BWP #1がactive BWPであるときのBWP #1とBWP #2の間の測定のための測定ギャップをUE１２に設定してもよい。さらに、RANノード１１は、BWP #1がactive BWPであるときのBWP #1とBWP #2の間の測定のための測定ギャップをUE１２に設定しないよう動作してもよい。
【００９１】
なお、図１３Ａ〜１３Ｃ、図１４Ａ〜１４Ｃ、並びに図１５Ａ〜１５Ｃを用いた上述の説明は、簡略化のためにUE１２が２つのRF chainsを持ち、１つのシステム帯域が３つのBWPsを含む場合を例にとって説明した。しかしながら、上述の説明は、UE１２が１つのRF chainのみを保つ場合、UE１２が少なくとも３つのRF chainsを持つ場合、１つのシステム帯域が２つのBWPsを含む場合、及び、１つのシステム帯域が少なくとも４つのBWPsを含む場合にも当然に適用できる。
【００９２】
以上の説明から理解されるように、RANノード１１及びUE１２は、１つのキャリア帯域が複数のBWPsを含む場合に以下のように動作する。UE１２は、１つのキャリア帯域内の複数のDL BWPsに含まれるBWPs間の測定のための測定ギャップの要否を示す表示（indication）をRANノード１１に送信する。さらに、UE１２は、これら複数のDL BWPsに含まれる１又はそれ以上のBWPsのための測定ギャップ設定を含む測定設定をRANノード１１から受信する。一方、RANノード１１は、測定ギャップの要否に関する当該表示をUE１２から受信し、測定ギャップ設定を含む当該測定設定をUE１２に送信する。したがって、RANノード１１は、１つのキャリア帯域内の複数のDL BWPs間の測定のためにUE１２が測定ギャップを必要とするか否かを知ることができる。また、RANノード１１は、UE１２の測定ギャップの必要性を考慮して決定された測定ギャップ設定をUE１２に送ることができる。したがって、RANノード１１及びUE１２は、１つのキャリア帯域内の複数のBWPs間の測定のために適切な測定ギャップをUE１２に設定することができる。
【００９３】
＜第２の実施形態＞
本実施形態は、第１の実施形態で説明された、UE１２が測定ギャップを必要とするか否かBWP毎に示す表示をUE１２がRANノード１１に送るシーケンス（手順）の具体例を提供する。本実施形態に係る無線通信ネットワークの構成例は、図１０に示された例と同様である。
【００９４】
図１６は、本実施形態に係るRANノード１１及びUE１２の動作の一例（処理１６００）を示すシーケンス図である。ステップ１６０１では、UE１２は、UE NR radio capability informationをRANノード１１（e.g., gNB）に送信する。UE NR radio capability information は、inter-frequency(inter-BWP)測定のために測定ギャップが必要であることを示す情報と、UE１２がBWP毎の測定ギャップの要否の表示（per-BWP Gap Indication）をサポートしていることを示す情報を含む。UE NR radio capability informationの送信は、UE Capability Informationメッセージを用いて行われてもよい。
【００９５】
ステップ１６０２では、RANノード１１は、BWP設定（BWP configuration）と、UE毎の（per UE）測定ギャップの設定（e.g., MeasGapConfig）をUE１２に送信する。RANノード１１は、さらに、BWP毎の測定ギャップの要否を示す表示を送信する要求をUE１２に送信する。当該要求に対応する情報要素（IE）は、“PerBWP-GapIndicationRequest” IEであってもよい。これらの設定及び要求の送信は、RRC Reconfigurationメッセージを用いて行われてもよい。
【００９６】
UE１２は、受信したBWP設定（BWP configuration）に従って必要な内部設定を実行し、受信したUE毎の（per UE）測定ギャップの設定（MeasGapConfig）に従ってUE毎の（per UE）測定ギャップを設定する。
【００９７】
ステップ１６０３では、UE１２は、BWP設定（BWP configuration）により指定されたBWPセット内の各BWP毎の測定ギャップの要否を示す表示をRANノード１１に送信する。当該表示に対応する情報要素（IE）は、“PerBWP-GapIndicationList” IEであってもよい。当該表示の送信は、RRC Reconfiguration Completeメッセージを用いて行われてもよい。
【００９８】
ステップ１６０４では、RANノード１１は、受信した表示（perBWP-GapIndication）に応答して（それに従って）、BWP毎の測定ギャップの設定をUE１２に送信する。BWP毎の測定ギャップの設定は、“BWP specific measurement gap configuration”であってもよい。BWP毎の測定ギャップの設定に対応する情報要素（IE）は、“measGapConfigPerBWP” IE又は“measGapConfigPerBWP-List” IEであってもよい。
【００９９】
本実施形態で説明されたシーケンスによれば、RANノード１１及びUE１２は、BWP毎の測定ギャップをUE１２に設定することができる。
【０１００】
＜第３の実施形態＞
本実施形態は、１つのBWPグループに含まれる複数のBWP間でのactive BWPの切り替えに対処するための測定設定の方法を提供する。本実施形態に係る無線通信ネットワークの構成例は、図１０に示された例と同様である。
【０１０１】
本実施形態では、RANノード１１は、１つのDL BWPグループに含まれる複数のDL BWPの間での（cell defining SSBの変更を伴わない）active BWPの切り替えに対処するために、これら複数のDL BWPのそれぞれがactive BWPであるときに対応する複数の測定設定を予めUE１２にRRCシグナリング（e.g., RRC Reconfigurationメッセージ）で供給する。UE１２は、UE１２とRANの間の通信のためのactive BWPがBWPグループ内のBWPs間で切り替えられることに応じて、予め受信していた複数の測定設定の中からactive BWPに対応する１つを選択して使用する。
【０１０２】
例えば、１つのBWPグループが第１及び第２のBWPsを含む場合、RANノード１１は、第１のBWPがactive BWPであるときに使用される第１の測定設定と第２のBWPがactive BWPであるときに使用される第２の測定設定を、RRCシグナリング（e.g., RRC Reconfigurationメッセージ）でUE１２に供給する。UE１２は、active BWPが第１のBWPであるときに第１の測定設定を選択し、これを測定（e.g., RLM測定、RRM測定、CSI測定）のために使用する。さらに、UE１２は、active BWPが第１のBWPから第２のBWPに切り替えられることに応じて、測定設定を第１の測定設定から第２の測定設定に自律的に切り替える。そして、UE１２は、切り替え後のactive BWPに対応する第２の測定設定を測定のために使用する。
【０１０３】
既に説明したように、BWPグループ内でのactive BWPの切り替えは、RRCシグナリングを使用せずに下位レイヤシグナリング、例えば、NR PDCCH上でのDCIによって実行されることができる。BWPグループ内でのactive BWPの切り替えは、cell defining SSBの変更を伴わないactive BWPの切り替えと言い換えることもできる。すなわち、本実施形態のRANノード１１及びUE１２は、BWPグループ内でのactive BWPの切り替えの際に、測定設定の更新のためのRRCシグナリングを必要としない。したがって、本実施形態のRANノード１１及びUE１２は、BWPグループ内でのactive BWPの切り替えに応答して測定設定を速やかに切り替えることができ、切り替え後のactive BWPに対応した測定設定に従った測定動作を速やかに開始できる。
【０１０４】
RANノード１１がUE１２に予め供給する複数の測定設定は、第１の実施形態で説明された測定ギャップ設定を含んでもよい。さらに又はこれに代えて、RANノード１１がUE１２に予め供給する複数の測定設定は、測定ギャップ設定とは異なる他の測定設定を含んでもよい。例えば、当該複数の測定設定は、RLMのための測定設定（e.g., RSタイプ、RLMのためのパラメータ（e.g., RLFタイマの満了期間））を含んでもよい。当該複数の測定設定は、RRMのための測定設定（e.g., RSタイプ、RRM報告イベントのためのパラメータ、測定される隣接セル（隣接BWP））を含んでもよい。
【０１０５】
具体的には、測定設定（measurement configuration, e.g. MeasConfig IE）は、以下の情報のいずれか又は任意の組み合わせを含んでもよい：
・測定対象に関する設定情報（measurement object, e.g., MeasObject IE）；
・測定報告に関する設定情報（measurement report configuration, e.g., ReportConfig IE）；
・測定設定の識別子（measurement identity, e.g. MeasId IE）；
・測定基準に関する設定情報（s-measure configuration, e.g. s-MeasureCnfig IE）；及び
・測定ギャップの設定情報（measurement gap configuration, e.g. MeasGapConfig IE）。
【０１０６】
測定対象に関する設定情報（e.g., MeasObject IE）は、例えば、キャリア周波数の情報（e.g., NR ARFCN）、参照信号に関する設定情報（e.g., ReferenceSignalConfig IE）、測定対象セルのリスト、及び測定報告のための所定のイベントにおける無線品質に関するオフセット（e.g., offsetFreq）、のいずれか又は複数を含んでもよい。参照信号に関する設定情報は、SSB-based測定に用いる測定タイミングに関する情報（SSB measurement timing configuration: SMTC）、対象セル（物理セル、BWP）におけるSSBの有無（SSB presence）、及び、CSI-RS-based測定に用いるCSI-RSの無線リソースの情報、の少なくともいずれかを含んでもよい。また、無線品質に関するオフセットは、測定対象とするRSタイプと無線品質の種類の組み合わせ（e.g., rsrpOffsetSSB, rsrqOffsetSSB, rsrpOffsetCSI-RS, rsrqOffsetCSI-RS）によって示されてもよい。
【０１０７】
測定報告に関する設定情報（e.g., ReportConfig IE）は、例えば、報告タイプ（e.g., periodical, event triggered）、イベント設定（eventTriggerConfig）、又は周期的報告設定（peridocialReportConfig）を含んでもよい。さらに、これらはRSタイプ（e.g., SSB(i.e. NR-SS), CSI-RS）を含んでもよい。
【０１０８】
各測定設定の識別子（e.g. MeasId IE）は、１つの測定対象に関する設定情報、及び、１つの測定報告に関する設定情報との組み合わせで指定（設定）されてもよい。
【０１０９】
測定基準に関する設定情報（e.g. s-MeasureCnfig IE）は、例えば、隣接セルの測定開始の要否を判定するための基準となる閾値（e.g., RSRP閾値）を含んでもよい。さらに、判定に使用するRSタイプ（e.g., SSB(i.e. NR-SS), CSI-RS）の情報が含まれてもよいし、RSタイプ毎に当該閾値が含まれてもよい。
【０１１０】
測定ギャップの設定情報（e.g. MeasGapConfig IE）は、例えば、サービングセルを基準とするUE毎の測定ギャップ（i.e. per UE measurement gap）、ネットワーク（e.g. RANノード）により制御される測定ギャップ（i.e. network controlled small gap: NCSG）、又は、キャリアアグリゲーションにおけるコンポーネントキャリア毎の測定ギャップ（i.e. per CC measurement gap）のいずれかを含んでもよい。さらに又はこれに代えて、測定ギャップの設定情報は、BWP毎の測定ギャップ（i.e. per BWP measurement gap）を含んでもよい。なお、BWP毎の測定ギャップは、BWP毎に通常の測定ギャップ（per UE meas gap）、ネットワーク制御の測定ギャップ（NCSG）、及び測定ギャップが不要（e.g., no gap and no NCSG）のいずれかを示す情報で構成されてもよい。
【０１１１】
図１７は、本実施形態に係るRANノード１１及びUE１２の動作の一例（処理１７００）を示すシーケンス図である。ここでは、BWPグループがSSBを含むBWP #1とSSBを含まないBWP #2から構成されること、及びUE１２がまずBWP #1にキャンプする（つまり、BWP #1がactive BWPである）ことを前提とする。言い換えると、BWP #1がUE１２のサービングセル（i.e. 物理セル）である。
【０１１２】
ステップ１７０１では、RANノード１１は、RRC ReconfigurationメッセージをUE１２に送信する。当該RRC Reconfigurationメッセージは、BWPグループ内の複数のBWPsに対応する複数の測定設定を含む。各測定設定は、BWPグループ内の複数のBWPsのうちの対応する１つのBWPがactive BWPであるときに使用される測定設定を示す。当該RRC Reconfigurationメッセージは、BWP毎の測定ギャップの要否を示す表示を送信する要求を含んでもよい。当該要求に対応する情報要素（IE）は、“PerBWP-GapIndicationRequest” IEであってもよい。
【０１１３】
ステップ１７０２では、UE１２は、RRC Reconfiguration CompleteメッセージをRANノード１１に送信する。当該RRC Reconfiguration Completeメッセージは、BWP毎の測定ギャップの要否を示す表示を含んでもよい。当該表示に対応する情報要素（information element（IE））は、“PerBWP-GapIndicationList” IEであってもよい。ステップ１７０３では、RANノード１１は、BWP毎の測定ギャップ設定を包含するRRC ReconfigurationメッセージをUE１２に送信する。当該測定ギャップ設定に対応するIEは、“measGapConfigPerBWP-List”IEであってもい。ステップ１７０２の表示は、上述の第１の実施形態で説明された測定ギャップの要否を示す表示であってもよい。ステップ１７０３の測定ギャップ設定は、上述の第１の実施形態で説明された測定ギャップ設定であってもよい。なお、本実施形態では、ステップ１７０２及び１７０３は、省略されてもよい。
【０１１４】
UE１２は、ステップ１７０１で受信したBWP #1に対応する測定設定を使用し、BWP #1での測定（e.g., RLM測定、CSI測定、RRM測定）、及びBWP #2での測定（e.g., RRM測定）を実行する（ステップ１７０４）。
【０１１５】
ステップ１７０５では、RANノード１１は、BWP #1からBWP #2へのactive BWPの切り替えを示す制御情報、すなわちNR PDCCH上でのDCI、をUE１２に送信する。UE１２は、当該制御情報（PDCCH/DCI）の受信に応答して、active BWPをBWP #2へ切り替える。言い換えると、BWP #2がUE１２のサービングセル（物理セル）となる。さらに、active BWPの切り替えに合わせて、UE１２は、BWP #1に対応する測定設定からBWP #2に対応する測定設定に切り替え、BWP #2に対応する測定設定に従ってBWP #2での測定（e.g., RLM測定、CSI測定、RRM測定）、及びBWP #1での測定（e.g., RRM測定）を実行する（ステップ１７０６）。
【０１１６】
ステップ１７０６の測定は、SSB-based測定およびCSI-RS based測定を含んでもよい。もしUE１２がSSB-based測定を設定されているなら、UE１２は、BWP #1内のSSBをRLM測定のためにモニターしてもよい。この場合、UE１２は、BWP #1からBWP #2へのactive BWP切り替え後のSSB-based測定のために、BWP #1に対応する測定設定のうちSSB-based測定に関する設定を引き継いでもよい。言い換えると、UE１２は、BWP #1からBWP #2へのactive BWP切り替え後のCSI-RS based測定のために、BWP #2に対応する測定設定を使用してもよい。
【０１１７】
さらに又はこれに代えて、BWP #1及びBWP #2に特有の測定設定を除いて、コンポーネントキャリア周波数（measObject）に対する測定設定は、active BWP切り替え前後で共通の測定であってもよい。
【０１１８】
さらに又はこれに代えて、BWP #1からBWP #2へのactive BWP切り替え後に、UE１２は、デフォルトの測定ギャップ設定（e.g., BWPに依存しないUE毎の測定ギャップ）にフォールバックしてもよい。
【０１１９】
＜第４の実施形態＞
本実施形態は、１つのBWPグループに含まれる複数のBWP間でのactive BWPの切り替えに対処するための測定設定の方法を提供する。本実施形態に係る無線通信ネットワークの構成例は、図１０に示された例と同様である。
【０１２０】
本実施形態では、RANノード１１は、１つのDL BWPグループに含まれる複数のDL BWPの間での（cell defining SSBの変更を伴わない）active BWPの切り替えに対処するために、サービングセル（サービングBWP、active BWP）と隣接セル（非サービングBWP、隣接BWP）の関係を交換（swap）することが可能な測定設定を予めUE１２にRRCシグナリング（e.g., RRC Reconfigurationメッセージ）で供給する。UE１２は、UE１２とRANの間の通信のためのactive BWPがBWPグループ内のBWPs間で切り替えられることに応じて、予め受信していた測定設定をサービングセル（サービングBWP、active BWP）と隣接セル（非サービングBWP、隣接BWP）の関係を交換して使用する。
【０１２１】
例えば、１つのBWPグループが第１及び第２のBWPsを含む場合、RANノード１１は、第１のBWPがサービングセル（サービングBWP）であり第２のBWPが隣接セル（隣接BWP、非サービングBWP）である状況に対応する測定設定を、RRCシグナリング（e.g., RRC Reconfigurationメッセージ）でUE１２に供給する。UE１２は、active BWPが第１のBWPであるときに当該測定設定に従って測定（e.g., RLM測定、RRM測定、CSI測定）を実行する。さらに、UE１２は、active BWPが第１のBWPから第２のBWPに切り替えられることに応じて、既に受信している測定設定のサービングセル（サービングBWP）と隣接セル（隣接BWP、非サービングBWP）との関係を交換して使用する。
【０１２２】
本実施形態のRANノード１１及びUE１２は、BWPグループ内でのactive BWPの切り替えの際に、測定設定の更新のためのRRCシグナリングを必要としない。したがって、本実施形態のRANノード１１及びUE１２は、BWPグループ内でのactive BWPの切り替えに応答して測定設定を速やかに更新することができ、切り替え後のactive BWPに対応した測定設定に従った測定動作を速やかに開始できる。
【０１２３】
図１８は、本実施形態に係るRANノード１１及びUE１２の動作の一例（処理１８００）を示すシーケンス図である。ここでは、BWPグループがSSBを含むBWP #1とSSBを含まないBWP #2から構成されること、及びUE１２がまずBWP #1にキャンプする（つまり、BWP #1がactive BWPである）ことを前提とする。
【０１２４】
ステップ１８０１では、RANノード１１は、RRC ReconfigurationメッセージをUE１２に送信する。当該RRC Reconfigurationメッセージは、BWP #1がサービングセル（サービングBWP）でありBWP #2が隣接セル（隣接BWP）である状況に対応する測定設定を含む。
【０１２５】
ステップ１８０２及び１８０３は、図１６のステップ１６０２及び１６０３と同様である。本実施形態でも、ステップ１８０２及び１８０３は、省略されてもよい。
【０１２６】
UE１２は、ステップ１８０１で受信した測定設定を使用し、BWP #1での測定（e.g., RLM測定、CSI測定、RRM測定）、及びBWP #2を含む隣接セルでの測定（e.g., RRM測定）を実行する（ステップ１８０４）。
【０１２７】
ステップ１８０５では、RANノード１１は、BWP #1からBWP #2へのactive BWPの切り替えを示す制御情報、すなわちNR PDCCH上でのDCI、をUE１２に送信する。UE１２は、当該制御情報（PDCCH/DCI）の受信に応答して、active BWPをBWP #2へ切り替える。さらに、active BWPの切り替えに合わせて、UE１２は、予め受信していた（つまり保持している）測定設定をサービングセル（サービングBWP、active BWP）と隣接セル（非サービングBWP、隣接BWP）の関係を交換して使用する（ステップ１８０６）。言い換えると、UE１２は、既に保持している測定設定におけるサービングセル（サービングBWP）がBWP #2であるとみなして、当該測定設定の少なくとも一部に従い測定を行う。または、UE１２は、BWP #2がサービングセル（サービングBWP）であり、BWP #1が隣接セル（隣接BWP）であるとみなして、既に保持している測定設定の少なくとも一部に従い測定を行うと言い換えてもよい。
【０１２８】
ステップ１８０６の測定は、SSB-based測定およびCSI-RS based測定を含んでもよい。もしUE１２がSSB-based測定を設定されているなら、UE１２は、BWP #1内のSSBをRLM測定のためにモニターしてもよい。この場合、UE１２は、BWP #1からBWP #2へのactive BWP切り替え後のSSB-based測定のために、BWP #1に対応する測定設定のうちSSB-based測定に関する設定を引き継いでもよい。言い換えると、UE１２は、BWP #1からBWP #2へのactive BWP切り替え後のCSI-RS based測定のために、予め受信していた（つまり既に保持している）測定設定におけるサービングセル（サービングBWP）がBWP #2であるとみなしてもよい。または、UE１２は、BWP #2がサービングセル（サービングBWP）であり、BWP #1が隣接セル（隣接BWP）であるとみなして、既に保持している測定設定の少なくとも一部に従い測定を行うと言い換えてもよい。
【０１２９】
さらに又はこれに代えて、BWP #1及びBWP #2に特有の測定設定を除いて、キャリア周波数（measObject）に対する測定設定は、active BWP切り替え前後で共通の測定であってもよい。
【０１３０】
さらに又はこれに代えて、BWP #1からBWP #2へのactive BWP切り替え後に、UE１２は、デフォルトの測定ギャップ設定（e.g., BWPに依存しないUE毎の測定ギャップ（i.e. per-UE measurement gap））にフォールバックしてもよい。
【０１３１】
さらに又はこれに代えて、RANノード１１は、予め測定設定で“s-measure”の設定をUEへ送信してもよい。なお、s-measureはRSRP閾値であり、隣接セルの測定開始を判定するために使用される。UE１２は、サービングセルのRSRPがs-measureを下回ると、隣接セルの測定を開始する。さらに、UE１２はs-measureの対象をSSB（i.e. ssb-rsrp）とCSI-RS（i.e. csi-rsrp）から選択できてもよく、この場合、RANノード１１がUE１２に対してs-measureがSSB-based及びCSI-RS basedのどちらであるかを指定してもよい。UE１２は、BWP #1からBWP #2へのactive BWP切り替え後のs-measureの判定を、切り替え後のサービングBWP（i.e., BWP #2）に対する測定値（e.g., SSB-based RSRP or CSI-RS based RSRP）を用いて行なってもよい。これに代えて、UE１２は、s-measureの判定を、切り替え前のサービングBWP（i.e., BWP #1）に対する測定値を用いて行なってもよい。
【０１３２】
RANノード１１は、active BWP切り替え後のs-measureの扱い（つまり、切り替え前active BWPに対する測定値と切り替え後active BWPに対する測定値のどちらがactive BWP切り替え後のs-measureの判定に使用されるか）を予めUE１２に通知してもよい。RANノード１１は、測定設定またはBWPセットの設定情報において、active BWP切り替え後のs-measureの扱いを指定してもよい。これに代えて、UE１２は、active BWP切り替え前のs-measureの対象とされるRSタイプ（e.g., SSB又はCSI-RS）の設定に従って、active BWP切り替え後のs-measureの対象とされるRSタイプを決定してもよい。例えば、active BWPの切り替え前のs-measureの対象とされるRSタイプがSSBである場合、UE１２は、active BWP切り替え後のs-measureの判定にSSBに対する測定値を使用してもよい。このとき、UE１２は、切り替え後のactive BWPがSSBを含んでいないなら切り替え前のactive BWP内のSSBに対して測定を実行してもよいし、切り替え後のactive BWPがSSBを含むなら切り替え後のactive BWP内のSSBに対して測定を実行してもよい。
【０１３３】
例えば、測定設定のs-measureがSSB内のRS（e.g., NR-SS）のRSRP閾値を定める場合、RANノード１１は、BWPグループ内でのactive BWP切り替え後に使用されるs-measureをステップ１８０１において予めUE１２に通知してもよい。例えば、BWPグループ内でのactive BWP切り替え後の新たなactive BWP（e.g., active BWP #2）がSSBを含まないなら、RANノード１１は、active BWP切り替え後のs-measure のためにCSI-RSのRSRP閾値を予め設定してもよい。これに代えて、測定設定のs-measureがCSI-RSのRSRP閾値を定める場合（かつBWP #2におけるCSI-RSの設定がRANノード１１からUE１２へ送信されている場合）、UE１２は、BWP #1からBWP #2へのactive BWP切り替え後に、切り替え前のs-measureの設定を引き続き使用してもよい。
【０１３４】
続いて以下では、上述の複数の実施形態に係るRANノード１１及びUE１２の構成例について説明する。図１９は、上述の実施形態に係るRANノード１１の構成例を示すブロック図である。図１９を参照すると、RANノード１１は、Radio Frequencyトランシーバ１９０１、ネットワークインターフェース１９０３、プロセッサ１９０４、及びメモリ１９０５を含む。RFトランシーバ１９０１は、UE１２を含むNG UEsと通信するためにアナログRF信号処理を行う。RFトランシーバ１９０１は、複数のトランシーバを含んでもよい。RFトランシーバ１９０１は、アンテナアレイ１９０２及びプロセッサ１９０４と結合される。RFトランシーバ１９０１は、変調シンボルデータをプロセッサ１９０４から受信し、送信RF信号を生成し、送信RF信号をアンテナアレイ１９０２に供給する。また、RFトランシーバ１９０１は、アンテナアレイ１９０２によって受信された受信RF信号に基づいてベースバンド受信信号を生成し、これをプロセッサ１９０４に供給する。RFトランシーバ１９０１は、ビームフォーミングのためのアナログビームフォーマ回路を含んでもよい。アナログビームフォーマ回路は、例えば複数の移相器及び複数の電力増幅器を含む。
【０１３５】
ネットワークインターフェース１９０３は、ネットワークノード（e.g., NG Coreの制御ノード及び転送ノード）と通信するために使用される。ネットワークインターフェース１９０３は、例えば、IEEE 802.3 seriesに準拠したネットワークインターフェースカード（NIC）を含んでもよい。
【０１３６】
プロセッサ１９０４は、無線通信のためのデジタルベースバンド信号処理（データプレーン処理）とコントロールプレーン処理を行う。プロセッサ１９０４は、複数のプロセッサを含んでもよい。例えば、プロセッサ１９０４は、デジタルベースバンド信号処理を行うモデム・プロセッサ（e.g., Digital Signal Processor（DSP））とコントロールプレーン処理を行うプロトコルスタック・プロセッサ（e.g., Central Processing Unit（CPU）又はMicro Processing Unit（MPU））を含んでもよい。プロセッサ１９０４は、ビームフォーミングのためのデジタルビームフォーマ・モジュールを含んでもよい。デジタルビームフォーマ・モジュールは、Multiple Input Multiple Output（MIMO）エンコーダ及びプリコーダを含んでもよい。
【０１３７】
メモリ１９０５は、揮発性メモリ及び不揮発性メモリの組み合わせによって構成される。揮発性メモリは、例えば、Static Random Access Memory（SRAM）若しくはDynamic RAM（DRAM）又はこれらの組み合わせである。不揮発性メモリは、マスクRead Only Memory（MROM）、Electrically Erasable Programmable ROM（EEPROM）、フラッシュメモリ、若しくはハードディスクドライブ、又はこれらの任意の組合せである。メモリ１９０５は、プロセッサ１９０４から離れて配置されたストレージを含んでもよい。この場合、プロセッサ１９０４は、ネットワークインターフェース１９０３又は図示されていないI/Oインタフェースを介してメモリ１９０５にアクセスしてもよい。
【０１３８】
メモリ１９０５は、上述の複数の実施形態で説明されたRANノード１１による処理を行うための命令群およびデータを含む１又はそれ以上のソフトウェアモジュール（コンピュータプログラム）１９０６を格納してもよい。いくつかの実装において、プロセッサ１９０４は、当該ソフトウェアモジュール１９０６をメモリ１９０５から読み出して実行することで、上述の実施形態で説明されたRANノード１１の処理を行うよう構成されてもよい。
【０１３９】
なお、RANノード１１がgNB-CUである場合、RANノード１１は、RFトランシーバ１９０１（及びアンテナアレイ１９０２）を含まなくてもよい。
【０１４０】
図２０は、UE１２の構成例を示すブロック図である。Radio Frequency（RF）トランシーバ２００１は、RANノード１１と通信するためにアナログRF信号処理を行う。RFトランシーバ２００１は、複数のトランシーバを含んでもよい。RFトランシーバ２００１により行われるアナログRF信号処理は、周波数アップコンバージョン、周波数ダウンコンバージョン、及び増幅を含む。RFトランシーバ２００１は、アンテナアレイ２００２及びベースバンドプロセッサ２００３と結合される。RFトランシーバ２００１は、変調シンボルデータ（又はOFDMシンボルデータ）をベースバンドプロセッサ２００３から受信し、送信RF信号を生成し、送信RF信号をアンテナアレイ２００２に供給する。また、RFトランシーバ２００１は、アンテナアレイ２００２によって受信された受信ＲＦ信号に基づいてベースバンド受信信号を生成し、これをベースバンドプロセッサ２００３に供給する。RFトランシーバ２００１は、ビームフォーミングのためのアナログビームフォーマ回路を含んでもよい。アナログビームフォーマ回路は、例えば複数の移相器及び複数の電力増幅器を含む。
【０１４１】
ベースバンドプロセッサ２００３は、無線通信のためのデジタルベースバンド信号処理（データプレーン処理）とコントロールプレーン処理を行う。デジタルベースバンド信号処理は、(a) データ圧縮／復元、(b) データのセグメンテーション／コンカテネーション、(c) 伝送フォーマット（伝送フレーム）の生成／分解、(d) 伝送路符号化／復号化、(e) 変調（シンボルマッピング）／復調、及び(f) Inverse Fast Fourier Transform（IFFT）によるOFDMシンボルデータ（ベースバンドOFDM信号）の生成などを含む。一方、コントロールプレーン処理は、レイヤ１（e.g., 送信電力制御）、レイヤ２（e.g., 無線リソース管理、及びhybrid automatic repeat request（HARQ）処理）、及びレイヤ３（e.g., アタッチ、モビリティ、及び通話管理に関するシグナリング）の通信管理を含む。
【０１４２】
例えば、ベースバンドプロセッサ２００３によるデジタルベースバンド信号処理は、Service Data Adaptation Protocol（SDAP）レイヤ、Packet Data Convergence Protocol（PDCP）レイヤ、Radio Link Control（RLC）レイヤ、MACレイヤ、およびPHYレイヤの信号処理を含んでもよい。また、ベースバンドプロセッサ２００３によるコントロールプレーン処理は、Non-Access Stratum（NAS）プロトコル、RRCプロトコル、及びMAC CEの処理を含んでもよい。
【０１４３】
ベースバンドプロセッサ２００３は、ビームフォーミングのためのMIMOエンコーディング及びプリコーディングを行ってもよい。
【０１４４】
ベースバンドプロセッサ２００３は、デジタルベースバンド信号処理を行うモデム・プロセッサ（e.g., DSP）とコントロールプレーン処理を行うプロトコルスタック・プロセッサ（e.g., CPU又はMPU）を含んでもよい。この場合、コントロールプレーン処理を行うプロトコルスタック・プロセッサは、後述するアプリケーションプロセッサ２００４と共通化されてもよい。
【０１４５】
アプリケーションプロセッサ２００４は、CPU、MPU、マイクロプロセッサ、又はプロセッサコアとも呼ばれる。アプリケーションプロセッサ２００４は、複数のプロセッサ（複数のプロセッサコア）を含んでもよい。アプリケーションプロセッサ２００４は、メモリ２００６又は図示されていないメモリから読み出されたシステムソフトウェアプログラム（Operating System（OS））及び様々なアプリケーションプログラム（例えば、通話アプリケーション、WEBブラウザ、メーラ、カメラ操作アプリケーション、音楽再生アプリケーション）を実行することによって、UE１２の各種機能を実現する。
【０１４６】
幾つかの実装において、図２０に破線（２００５）で示されているように、ベースバンドプロセッサ２００３及びアプリケーションプロセッサ２００４は、１つのチップ上に集積されてもよい。言い換えると、ベースバンドプロセッサ２００３及びアプリケーションプロセッサ２００４は、１つのSystem on Chip（SoC）デバイス２００５として実装されてもよい。SoCデバイスは、システムLarge Scale Integration（LSI）またはチップセットと呼ばれることもある。
【０１４７】
メモリ２００６は、揮発性メモリ若しくは不揮発性メモリ又はこれらの組合せである。メモリ２００６は、物理的に独立した複数のメモリデバイスを含んでもよい。揮発性メモリは、例えば、SRAM若しくはDRAM又はこれらの組み合わせである。不揮発性メモリは、MROM、EEPROM、フラッシュメモリ、若しくはハードディスクドライブ、又はこれらの任意の組合せである。例えば、メモリ２００６は、ベースバンドプロセッサ２００３、アプリケーションプロセッサ２００４、及びSoC２００５からアクセス可能な外部メモリデバイスを含んでもよい。メモリ２００６は、ベースバンドプロセッサ２００３内、アプリケーションプロセッサ２００４内、又はSoC２００５内に集積された内蔵メモリデバイスを含んでもよい。さらに、メモリ２００６は、Universal Integrated Circuit Card（UICC）内のメモリを含んでもよい。
【０１４８】
メモリ２００６は、上述の複数の実施形態で説明されたUE１２による処理を行うための命令群およびデータを含む１又はそれ以上のソフトウェアモジュール（コンピュータプログラム）２００７を格納してもよい。幾つかの実装において、ベースバンドプロセッサ２００３又はアプリケーションプロセッサ２００４は、当該ソフトウェアモジュール２００７をメモリ２００６から読み出して実行することで、上述の実施形態で図面を用いて説明されたUE１２の処理を行うよう構成されてもよい。
【０１４９】
なお、上述の実施形態で説明されたUE１２によって行われるコントロールプレーン処理及び動作は、RFトランシーバ２００１及びアンテナアレイ２００２を除く他の要素、すなわちベースバンドプロセッサ２００３及びアプリケーションプロセッサ２００４の少なくとも一方とソフトウェアモジュール２００７を格納したメモリ２００６とによって実現されることができる。
【０１５０】
図１９及び図２０を用いて説明したように、上述の実施形態に係るRANノード１１及びUE１２が有するプロセッサの各々は、図面を用いて説明されたアルゴリズムをコンピュータに行わせるための命令群を含む１又は複数のプログラムを実行する。このプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、Compact Disc Read Only Memory（CD-ROM）、CD-R、CD-R/W、半導体メモリ（例えば、マスクROM、Programmable ROM（PROM）、Erasable PROM（EPROM）、フラッシュROM、Random Access Memory（RAM））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【０１５１】
＜その他の実施形態＞
上述の実施形態は、各々独立に実施されてもよいし、実施形態全体又はその一部が適宜組み合わせて実施されてもよい。
【０１５２】
上述の実施形態では、NR PDCCHで送信されるDCIによるactive BWPの切り替えについて説明した。しかし、上述の実施形態におけるactive BWPの切り替えが、MAC CEまたはタイマ（e.g., BWP Inactivity Timer）によって行われてもよい。
【０１５３】
上述の実施形態では、主に各UEに１つのBWPが活性化される（i.e. 1 active BWP per UE）という想定で説明した。しかし、上述の実施形態で説明された方法が、各UEのために複数のBWPが活性化される場合へも適用できることは言うまでもない。例えば、BWPセット内に複数のactive BWPsがあってもよい。さらに、BWPセット内に設定された複数のBWPグループの各々に対応するそれぞれ１つのactive BWPがあってもよいし、BWPグループ内で複数のactive BWPがあってもよい。
【０１５４】
上述した実施形態は、MR-DC（e.g., EN-DC）及びNR-NR DCにも適用されることができる。例えば、EN-DCでは、MeNB、SgNB、及びUEは以下のように動作してもよい。まず、UEは、RRCシグナリング（e.g., UE Capability Informationメッセージ）を用いてNR capability（e.g., UE NR radio capability information）をMeNBに送信し、MeNBがNR capabilityをSgNBに転送する。さらに、MeNBは、NRのSCGにおけるBWP毎の測定ギャップの要否を示す表示を送信する要求（e.g., “PerBWP-GapIndicationRequest” IE）を、LTE RRC Connection ReconfigurationメッセージでUEに送信する。SgNBは、当該要求の送信をX2メッセージでMeNBにトリガーしてもよい。当該要求の受信に応答して、UEは、BWP毎の測定ギャップの要否を示す表示（e.g., “perBWP-GapIndicationList” IE）を、LTE RRC Connection Reconfiguration CompleteメッセージでMeNBに送信する。MeNBは、UEから受信した当該表示（e.g., “perBWP-GapIndicationList” IE）をSgNBに転送する。そして、SgNBは、BWP毎の測定ギャップの設定（e.g., “measGapConfigPerBWP-List” IE）をMeNBに送り、MeNBは当該設定をLTE RRC Connection ReconfigurationメッセージでUEに送信する。なお、UE及びSgNBが送信する情報は、NR RRCでエンコードされてもよい。
【０１５５】
これに代えて、EN-DCでは、MeNB、SgNB、及びUEは以下のように動作してもよい。SgNBは、 “PerBWP-GapIndicationRequest”及び“measGapConfigPerBWP-List”をMeNBを介してUEに送信するために、透過的なRRCコンテナ（transparent RRC container）を利用してよい。具体的には、SgNBは、“PerBWP-GapIndicationRequest”を包含するNR RRC Reconfigurationメッセージをtransparent RRC containerに含め、当該transparent RRC containerをMeNBに送る。MeNBは、SgNBから受信したtransparent RRC container（これは“PerBWP-GapIndicationRequest”を包含する）をLTE RRC Connection ReconfigurationメッセージでUEに送信する。UEは、“perBWP-GapIndicationList”を包含するNR RRC Reconfiguration CompleteメッセージをLTE RRC Connection Reconfiguration Completeメッセージを用いてMeNBに送る。MeNBは、“perBWP-GapIndicationList”を包含するNR RRC Reconfiguration CompleteメッセージをSgNBに転送する。そして、SgNBは、“measGapConfigPerBWP-List”を包含するNR RRC Reconfigurationメッセージをtransparent RRC containerに含め、当該transparent RRC containerをMeNBに送る。MeNBは、SgNBから受信したtransparent RRC container（これは“measGapConfigPerBWP-List”を包含する）をLTE RRC Connection ReconfigurationメッセージでUEに送信する。なお、これを実現するために、SN (i.e. SgNB) Initiated SN Modification procedureにおけるX2メッセージ（i.e., 順次SN MODIFICATION REQUIRED, SN MODIFICATION REQUEST, SN MODIFICATION REQUEST ACKNOWLEDGEMENT, SN MODIFICATION COMPLETE）をそれぞれ使用してもよい。
【０１５６】
さらにこれに代えて、EN-DCでは、SgNB及びUEは、 BWP毎の測定ギャップの要求、BWP毎の測定ギャップの要否の表示、及びBWP毎の測定ギャップの設定の転送のために、SCGにおいて確立されるSgNBとUEの間の直接的な無線ベアラを使用してもよい。当該無線ベアラは、Signalling Radio Bearer 3（SRB3）であってもよい。具体的には、SgNBは、SRB3上のNR RRC Reconfigurationメッセージで“PerBWP-GapIndicationRequest”をUEに送信する。UEは、SRB3上のNR RRC Reconfiguration Completeメッセージで“perBWP-GapIndicationList”をSgNBに送信する。そして、sgNBは、SRB3上のNR RRC Reconfigurationメッセージで“measGapConfigPerBWP-List”をUEに送信する。
【０１５７】
上述の実施形態において、cell defining SSBの用語を用いたが、これはUE観点のセル（物理セル）に相当するBWP、または当該物理セルのセットに相当するBWPグループを代表するSSBを指すため、cell representative SSBと呼ばれてもよい。または、cell defining SSBは、当該SSBを含む代表するセル（物理セル）を特定するという観点から、セル特定SSBと呼ばれてもよい。さらに、cell defining SSBは、UEがそれを含むBWPまたはBWPグループのいずれかに滞在するときにモニターすべきSSBであるため、serving SSBと呼ばれてもよい。
【０１５８】
上述の実施形態で説明されたサブPCIは、BWP indexと関連づけられていてもよい。
【０１５９】
上述の実施形態で説明された基準BWPは、default BWP 、initial BWP、reference BWP、primary BWP、anchor BWP、又はmaster BWPと呼ばれてもよい。すなわち、UEがRANノードに最初にアクセスするとき（i.e., Idle modeからConnected modeに遷移するとき）に最初に滞在するBWPは、基準BWP 、default BWP、initial BWP、reference BWP、primary BWP、anchor BWP、又はmaster BWPと呼ばれてもよい。さらに又はこれに代えて、システム帯域に含まれる複数のBWPsのうち、基準BWPではないBWPは、サブBWP、secondary BWP、slave BWPと呼ばれてもよい。
【０１６０】
さらに、上述した実施形態は本件発明者により得られた技術思想の適用に関する例に過ぎない。すなわち、当該技術思想は、上述した実施形態のみに限定されるものではなく、種々の変更が可能であることは勿論である。
【０１６１】
上記の実施形態の一部又は全部は、以下の付記のようにも記載されうるが、以下には限られない。
【０１６２】
（付記１）
無線端末であって、
メモリと、
前記メモリに結合された少なくとも１つのプロセッサと、
を備え、
前記少なくとも１つのプロセッサは、複数のダウンリンクbandwidth parts（BWPs）に含まれるBWPs間の測定のための測定ギャップの要否を示す表示（indication）を無線アクセスネットワーク（RAN）内の無線アクセスネットワーク（RAN）ノードに送信するよう構成され、
前記複数のダウンリンクBWPsは、１つのシステム帯域内に含まれ、
前記少なくとも１つのプロセッサは、さらに、前記複数のダウンリンクBWPsに含まれる１又はそれ以上のBWPsのための測定ギャップ設定を含む測定設定を前記RANノードから受信するよう構成される、
無線端末。
【０１６３】
（付記２）
前記表示は、前記複数のダウンリンクBWPsのうち１つが前記無線端末のために活性化されるときに、前記活性化されるBWPとは異なる１又はそれ以上のBWPsの測定のために前記無線端末が測定ギャップを必要とするか否かを示す、
付記１に記載の無線端末。
【０１６４】
（付記３）
前記表示は、前記複数のダウンリンクBWPsのうち前記無線端末のために活性化されるBWPとは異なる１又はそれ以上のBWPsに関して、前記無線端末が測定ギャップを必要とするか否かBWP毎に示す、
付記１に記載の無線端末。
【０１６５】
（付記４）
前記表示は、前記複数のダウンリンクBWPsに含まれる２つ以上のBWPsの組み合わせを示すBWPコンビネーションに関する情報を含み、各BWPコンビネーションのうち１つのBWPが前記無線端末のために活性化されるときに各BWPペアのうち残りのBWPそれぞれの測定のために前記無線端末が測定ギャップを必要とするか否かを示す、
付記１に記載の無線端末。
【０１６６】
（付記５）
前記少なくとも１つのプロセッサは、前記無線端末と前記RANの間の通信のための活性化BWPが前記複数のダウンリンクBWPの間で切り替えられることに応じて、前記測定ギャップ設定に従って前記活性化BWPに対応する測定ギャップ設定を使用するよう構成される、
付記１〜４のいずれか１項に記載の無線端末。
【０１６７】
（付記６）
前記測定ギャップ設定は、前記複数のダウンリンクBWPsのうちの１つが前記無線端末のために活性化されるときに、前記活性化されるBWPとは異なる１又はそれ以上のBWPsを前記無線端末が測定するための測定ギャップに関する設定を示す、
付記１〜５のいずれか１項に記載の無線端末。
【０１６８】
（付記７）
前記測定ギャップ設定は、前記測定ギャップの有無、前記測定ギャップの長さ、及び前記測定ギャップのパターンのうち少なくとも１つを示す、
付記６に記載の無線端末。
【０１６９】
（付記８）
前記複数のダウンリンクBWPsは、１つのセル特定signal block（SSB）に関連付けられる、
付記１〜７のいずれか１項に記載の無線端末。
【０１７０】
（付記９）
前記測定ギャップ設定は、前記複数のダウンリンクBWPsに含まれる第１のダウンリンクBWP及び第２のダウンリンクBWPのそれぞれのための第１の測定ギャップ設定及び第２の測定ギャップ設定を含み、
前記少なくとも１つのプロセッサは、前記第１及び第２の測定ギャップ設定をRadio Resource Control（RRC）シグナリングを用いて前記RANノードから受信するよう構成され、
前記少なくとも１つのプロセッサは、さらに、
前記第１のダウンリンクBWPが前記RANとの通信のために活性化されているときに、他のダウンリンクBWPを測定するために前記第１の測定ギャップ設定を使用するよう構成され、
前記セル特定SSBの変更を伴わない前記第１のダウンリンクBWPから前記第２のダウンリンクBWPへの活性化BWPの切り替えを示す制御情報を前記RANノードから受信するよう構成され、
前記制御情報の受信に応答して、前記第１のダウンリンクBWPから前記第２のダウンリンクBWPに前記RANとの通信のための活性化BWPを切り替えるとともに、他のダウンリンクBWPを測定するための測定ギャップ設定を前記第１の測定ギャップ設定から前記第２の測定ギャップ設定に切り替えるよう構成される、
付記８に記載の無線端末。
【０１７１】
（付記１０）
前記制御情報は、非RRCメッセージである、
付記９に記載の無線端末。
【０１７２】
（付記１１）
無線アクセスネットワーク（RAN）に配置される無線アクセスネットワーク（RAN）ノードであって、
メモリと、
前記メモリに結合された少なくとも１つのプロセッサと、
を備え、
前記少なくとも１つのプロセッサは、複数のダウンリンクbandwidth parts（BWPs）に含まれるBWPs間の測定のための測定ギャップの要否を示す表示（indication）を無線端末から受信するよう構成され、
前記複数のダウンリンクBWPsは、１つのシステム帯域内に含まれ、
前記少なくとも１つのプロセッサは、さらに、前記複数のダウンリンクBWPsに含まれる１又はそれ以上のBWPsのための測定ギャップ設定を含む測定設定を前記無線端末に送信するよう構成される、
RANノード。
【０１７３】
（付記１２）
前記表示は、前記複数のダウンリンクBWPsのうち１つが前記無線端末のために活性化されるときに、前記活性化されるBWPとは異なる１又はそれ以上のBWPsの測定のために前記無線端末が測定ギャップを必要とするか否かを示す、
付記１１に記載のRANノード。
【０１７４】
（付記１３）
前記表示は、前記複数のダウンリンクBWPsのうち前記無線端末のために活性化されるBWPとは異なる１又はそれ以上のBWPsに関して、前記無線端末が測定ギャップを必要とするか否かBWP毎に示す、
付記１１に記載のRANノード。
【０１７５】
（付記１４）
前記表示は、前記複数のダウンリンクBWPsに含まれる２つ以上のBWPsの組み合わせを示すBWPコンビネーションに関する情報を含み、各BWPコンビネーションのうち１つのBWPが前記無線端末のために活性化されるときに各BWPペアのうち残りのBWPそれぞれの測定のために前記無線端末が測定ギャップを必要とするか否かを示す、
付記１１に記載のRANノード。
【０１７６】
（付記１５）
前記測定ギャップ設定は、前記複数のダウンリンクBWPsのうちの１つが前記無線端末のために活性化されるときに、前記活性化されるBWPとは異なる１又はそれ以上のBWPsを前記無線端末が測定するための測定ギャップに関する設定を示す、
付記１１〜１４のいずれか１項に記載のRANノード。
【０１７７】
（付記１６）
前記測定ギャップ設定は、前記測定ギャップの有無、前記測定ギャップの長さ、及び前記測定ギャップのパターンのうち少なくとも１つを示す、
付記１５に記載のRANノード。
【０１７８】
（付記１７）
前記複数のダウンリンクBWPsは、１つのセル特定synchronization signal block（SSB）に関連付けられる、
付記１１〜１６のいずれか１項に記載のRANノード。
【０１７９】
（付記１８）
前記測定ギャップ設定は、前記複数のダウンリンクBWPsに含まれる第１のダウンリンクBWP及び第２のダウンリンクBWPのそれぞれのための第１の測定ギャップ設定及び第２の測定ギャップ設定を含み、
前記少なくとも１つのプロセッサは、前記第１及び第２の測定ギャップ設定をRadio Resource Control（RRC）シグナリングを用いて前記無線端末に送信するよう構成され、
前記少なくとも１つのプロセッサは、さらに、
前記第１のダウンリンクBWPが前記RANとの通信のために活性化されているときに、前記第１の測定ギャップ設定が他のダウンリンクBWPを測定するために前記無線端末によって使用されることを考慮して前記無線端末と通信するよう構成され、
前記セル特定SSBの変更を伴わない前記第１のダウンリンクBWPから前記第２のダウンリンクBWPへの活性化BWPの切り替えを示す制御情報を前記無線端末に送信するよう構成され、
前記制御情報は、前記第１のダウンリンクBWPから前記第２のダウンリンクBWPに前記RANとの通信のための活性化BWPを切り替えるよう前記無線端末にトリガーするとともに、他のダウンリンクBWPを測定するための測定ギャップ設定を前記第１の測定ギャップ設定から前記第２の測定ギャップ設定に切り替えるよう前記無線端末をトリガーする、
付記１７に記載のRANノード。
【０１８０】
（付記１９）
前記制御情報は、非RRCメッセージである、
付記１８に記載のRANノード。
【０１８１】
（付記２０）
無線端末における方法であって、
複数のダウンリンクbandwidth parts（BWPs）に含まれるBWPs間の測定のための測定ギャップの要否を示す表示（indication）を無線アクセスネットワーク（RAN）内の無線アクセスネットワーク（RAN）ノードに送信すること、ここで、前記複数のダウンリンクBWPsは、１つのシステム帯域内に含まれる；及び
前記複数のダウンリンクBWPsに含まれる１又はそれ以上のBWPsのための測定ギャップ設定を含む測定設定を前記RANノードから受信すること、
を備える方法。
【０１８２】
（付記２１）
無線アクセスネットワーク（RAN）に配置される無線アクセスネットワーク（RAN）ノードにおける方法であって、
複数のダウンリンクbandwidth parts（BWPs）に含まれるBWPs間の測定のための測定ギャップの要否を示す表示（indication）を無線端末から受信すること、ここで、前記複数のダウンリンクBWPsは、１つのシステム帯域内に含まれる；及び
前記複数のダウンリンクBWPsに含まれる１又はそれ以上のBWPsのための測定ギャップ設定を含む測定設定を前記無線端末に送信すること、
を備える方法。
【０１８３】
（付記２２）
無線端末における方法をコンピュータに行わせるためのプログラムであって、
前記方法は、
複数のダウンリンクbandwidth parts（BWPs）に含まれるBWPs間の測定のための測定ギャップの要否を示す表示（indication）を無線アクセスネットワーク（RAN）内の無線アクセスネットワーク（RAN）ノードに送信すること、ここで、前記複数のダウンリンクBWPsは、１つのシステム帯域内に含まれる；及び
前記複数のダウンリンクBWPsに含まれる１又はそれ以上のBWPsのための測定ギャップ設定を含む測定設定を前記RANノードから受信すること、
を備える、プログラム。
【０１８４】
（付記２３）
無線アクセスネットワーク（RAN）に配置される無線アクセスネットワーク（RAN）ノードにおける方法をコンピュータに行わせるためのプログラムであって、
前記方法は、
複数のダウンリンクbandwidth parts（BWPs）に含まれるBWPs間の測定のための測定ギャップの要否を示す表示（indication）を無線端末から受信すること、ここで、前記複数のダウンリンクBWPsは、１つのシステム帯域内に含まれる；及び
前記複数のダウンリンクBWPsに含まれる１又はそれ以上のBWPsのための測定ギャップ設定を含む測定設定を前記無線端末に送信すること、
を備える、プログラム。
【０１８５】
（付記２４）
無線端末であって、
メモリと、
前記メモリに結合された少なくとも１つのプロセッサと、
を備え、
前記少なくとも１つのプロセッサは、第１のダウンリンクbandwidth part（BWP）及び第２のダウンリンクBWPのそれぞれのための第１の測定設定及び第２の測定設定を、Radio Resource Control（RRC）シグナリングを用いて、無線アクセスネットワーク（RAN）内の無線アクセスネットワーク（RAN）ノードから受信するよう構成され、
前記第１及び第２のダウンリンクBWPは、１つのシステム帯域内に含まれ、且つ１つのセル特定synchronization signal block（SSB）に関連付けられ、
前記少なくとも１つのプロセッサは、さらに、
前記第１のダウンリンクBWPが前記RANとの通信のために活性化されているときに、前記第１の測定設定を使用するよう構成され、
前記セル特定SSBの変更を伴わない前記第１のダウンリンクBWPから前記第２のダウンリンクBWPへの活性化BWPの切り替えを示す制御情報を前記RANノードから受信するよう構成され、
前記制御情報の受信に応答して、前記第１のダウンリンクBWPから前記第２のダウンリンクBWPに前記RANとの通信のための活性化BWPを切り替えるとともに、測定設定を前記第１の測定設定から前記第２の測定設定に切り替えるよう構成される、
無線端末。
【０１８６】
（付記２５）
前記制御情報は、非RRCメッセージである、
付記２４に記載の無線端末。
【０１８７】
（付記２６）
前記第１及び第２の測定設定の各々は、測定ギャップ設定を含む、
付記２４又は２５に記載の無線端末。
【０１８８】
（付記２７）
無線アクセスネットワーク（RAN）ノードであって、
メモリと、
前記メモリに結合された少なくとも１つのプロセッサと、
を備え、
前記少なくとも１つのプロセッサは、第１のダウンリンクbandwidth part（BWP）及び第２のダウンリンクBWPのそれぞれのための第１の測定設定及び第２の測定設定を、Radio Resource Control（RRC）シグナリングを用いて、無線端末に送信するよう構成され、
前記第１及び第２のダウンリンクBWPは、１つのシステム帯域内に含まれ、且つ１つのセル特定synchronization signal block（SSB）に関連付けられ、
前記少なくとも１つのプロセッサは、さらに、
前記第１のダウンリンクBWPが無線アクセスネットワーク（RAN）との通信のために活性化されているときに、前記第１の測定設定が前記無線端末によって使用されることを考慮して前記無線端末と通信するよう構成され、
前記セル特定SSBの変更を伴わない前記第１のダウンリンクBWPから前記第２のダウンリンクBWPへの活性化BWPの切り替えを示す制御情報を前記無線端末に送信するよう構成され、
前記制御情報は、前記第１のダウンリンクBWPから前記第２のダウンリンクBWPに前記RANとの通信のための活性化BWPを切り替えるよう前記無線端末にトリガーするとともに、測定設定を前記第１の測定設定から前記第２の測定設定に切り替えるよう前記無線端末をトリガーする、
RANノード。
【０１８９】
（付記２８）
前記制御情報は、非RRCメッセージである、
付記２７に記載のRANノード。
【０１９０】
（付記２９）
前記第１及び第２の測定設定の各々は、測定ギャップ設定を含む、
付記２７又は２８に記載のRANノード。
【０１９１】
（付記３０）
無線端末における方法であって、
第１のダウンリンクbandwidth part（BWP）及び第２のダウンリンクBWPのそれぞれのための第１の測定設定及び第２の測定設定を、Radio Resource Control（RRC）シグナリングを用いて、無線アクセスネットワーク（RAN）内の無線アクセスネットワーク（RAN）ノードから受信すること、ここで、前記第１及び第２のダウンリンクBWPは、１つのシステム帯域内に含まれ、且つ１つのセル特定synchronization signal block（SSB）に関連付けられ；
前記第１のダウンリンクBWPが前記RANとの通信のために活性化されているときに、前記第１の測定設定を使用すること；
前記セル特定SSBの変更を伴わない前記第１のダウンリンクBWPから前記第２のダウンリンクBWPへの活性化BWPの切り替えを示す制御情報を前記RANノードから受信すること；及び
前記制御情報の受信に応答して、前記第１のダウンリンクBWPから前記第２のダウンリンクBWPに前記RANとの通信のための活性化BWPを切り替えるとともに、測定設定を前記第１の測定設定から前記第２の測定設定に切り替えること、
を備える方法。
【０１９２】
（付記３１）
無線アクセスネットワーク（RAN）ノードにおける方法であって、
第１のダウンリンクbandwidth part（BWP）及び第２のダウンリンクBWPのそれぞれのための第１の測定設定及び第２の測定設定を、Radio Resource Control（RRC）シグナリングを用いて、無線端末に送信すること、ここで、前記第１及び第２のダウンリンクBWPは、１つのシステム帯域内に含まれ、且つ１つのセル特定synchronization signal block（SSB）に関連付けられ；
前記第１のダウンリンクBWPが無線アクセスネットワーク（RAN）との通信のために活性化されているときに、前記第１の測定設定が前記無線端末によって使用されることを考慮して前記無線端末と通信すること；及び
前記セル特定SSBの変更を伴わない前記第１のダウンリンクBWPから前記第２のダウンリンクBWPへの活性化BWPの切り替えを示す制御情報を前記無線端末に送信すること、ここで、前記制御情報は、前記第１のダウンリンクBWPから前記第２のダウンリンクBWPに前記RANとの通信のための活性化BWPを切り替えるよう前記無線端末にトリガーするとともに、測定設定を前記第１の測定設定から前記第２の測定設定に切り替えるよう前記無線端末をトリガーする、
を備える方法。
【０１９３】
（付記３２）
無線端末における方法をコンピュータに行わせるためのプログラムであって、
前記方法は、
第１のダウンリンクbandwidth part（BWP）及び第２のダウンリンクBWPのそれぞれのための第１の測定設定及び第２の測定設定を、Radio Resource Control（RRC）シグナリングを用いて、無線アクセスネットワーク（RAN）内の無線アクセスネットワーク（RAN）ノードから受信すること、ここで、前記第１及び第２のダウンリンクBWPは、１つのシステム帯域内に含まれ、且つ１つのセル特定synchronization signal block（SSB）に関連付けられ；
前記第１のダウンリンクBWPが前記RANとの通信のために活性化されているときに、前記第１の測定設定を使用すること；
前記セル特定SSBの変更を伴わない前記第１のダウンリンクBWPから前記第２のダウンリンクBWPへの活性化BWPの切り替えを示す制御情報を前記RANノードから受信すること；及び
前記制御情報の受信に応答して、前記第１のダウンリンクBWPから前記第２のダウンリンクBWPに前記RANとの通信のための活性化BWPを切り替えるとともに、測定設定を前記第１の測定設定から前記第２の測定設定に切り替えること、
を備える、プログラム。
【０１９４】
（付記３３）
無線アクセスネットワーク（RAN）ノードにおける方法をコンピュータに行わせるためのプログラムであって、
前記方法は、
第１のダウンリンクbandwidth part（BWP）及び第２のダウンリンクBWPのそれぞれのための第１の測定設定及び第２の測定設定を、Radio Resource Control（RRC）シグナリングを用いて、無線端末に送信すること、ここで、前記第１及び第２のダウンリンクBWPは、１つのシステム帯域内に含まれ、且つ１つのセル特定synchronization signal block（SSB）に関連付けられ；
前記第１のダウンリンクBWPが無線アクセスネットワーク（RAN）との通信のために活性化されているときに、前記第１の測定設定が前記無線端末によって使用されることを考慮して前記無線端末と通信すること；及び
前記セル特定SSBの変更を伴わない前記第１のダウンリンクBWPから前記第２のダウンリンクBWPへの活性化BWPの切り替えを示す制御情報を前記無線端末に送信すること、ここで、前記制御情報は、前記第１のダウンリンクBWPから前記第２のダウンリンクBWPに前記RANとの通信のための活性化BWPを切り替えるよう前記無線端末にトリガーするとともに、測定設定を前記第１の測定設定から前記第２の測定設定に切り替えるよう前記無線端末をトリガーする、
を備える、プログラム。
【０１９５】
（付記３４）
無線端末であって、
メモリと、
前記メモリに結合された少なくとも１つのプロセッサと、
を備え、
前記少なくとも１つのプロセッサは、第１のダウンリンクbandwidth part（BWP）及び第２のダウンリンクBWPのための測定設定を、Radio Resource Control（RRC）シグナリングを用いて、無線アクセスネットワーク（RAN）内の無線アクセスネットワーク（RAN）ノードから受信するよう構成され、
前記第１及び第２のダウンリンクBWPは、１つのシステム帯域内に含まれ、且つ１つのセル特定synchronization signal block（SSB）に関連付けられ、
前記少なくとも１つのプロセッサは、さらに、
前記第１のダウンリンクBWPが前記RANとの通信のために活性化されているときに、前記測定設定を使用するよう構成され、
前記セル特定SSBの変更を伴わない前記第１のダウンリンクBWPから前記第２のダウンリンクBWPへの活性化BWPの切り替えを示す制御情報を前記RANノードから受信するよう構成され、
前記制御情報の受信に応答して、前記第１のダウンリンクBWPから前記第２のダウンリンクBWPに前記RANとの通信のための活性化BWPを切り替えるとともに、前記測定設定におけるサービングセルと隣接セルの関係を交換して使用するよう構成される、
無線端末。
【０１９６】
（付記３５）
前記制御情報は、非RRCメッセージである、
付記３４に記載の無線端末。
【０１９７】
（付記３６）
無線端末における方法であって、
第１のダウンリンクbandwidth part（BWP）及び第２のダウンリンクBWPのための測定設定を、Radio Resource Control（RRC）シグナリングを用いて、無線アクセスネットワーク（RAN）内の無線アクセスネットワーク（RAN）ノードから受信すること、ここで、前記第１及び第２のダウンリンクBWPは、１つのシステム帯域内に含まれ、且つ１つのセル特定synchronization signal block（SSB）に関連付けられ；
前記第１のダウンリンクBWPが前記RANとの通信のために活性化されているときに、前記測定設定を使用すること；
前記セル特定SSBの変更を伴わない前記第１のダウンリンクBWPから前記第２のダウンリンクBWPへの活性化BWPの切り替えを示す制御情報を前記RANノードから受信すること；及び
前記制御情報の受信に応答して、前記第１のダウンリンクBWPから前記第２のダウンリンクBWPに前記RANとの通信のための活性化BWPを切り替えるとともに、前記測定設定におけるサービングセルと隣接セルの関係を交換して使用すること、
を備える方法。
【０１９８】
（付記３７）
無線端末における方法をコンピュータに行わせるためのプログラムであって、
前記方法は、
第１のダウンリンクbandwidth part（BWP）及び第２のダウンリンクBWPのための測定設定を、Radio Resource Control（RRC）シグナリングを用いて、無線アクセスネットワーク（RAN）内の無線アクセスネットワーク（RAN）ノードから受信すること、ここで、前記第１及び第２のダウンリンクBWPは、１つのシステム帯域内に含まれ、且つ１つのセル特定synchronization signal block（SSB）に関連付けられ；
前記第１のダウンリンクBWPが前記RANとの通信のために活性化されているときに、前記測定設定を使用すること；
前記セル特定SSBの変更を伴わない前記第１のダウンリンクBWPから前記第２のダウンリンクBWPへの活性化BWPの切り替えを示す制御情報を前記RANノードから受信すること；及び
前記制御情報の受信に応答して、前記第１のダウンリンクBWPから前記第２のダウンリンクBWPに前記RANとの通信のための活性化BWPを切り替えるとともに、前記測定設定におけるサービングセルと隣接セルの関係を交換して使用すること、
を備える、プログラム。
【０１９９】
この出願は、２０１７年１１月１３日に出願された日本出願特願２０１７−２１８０３９を基礎とする優先権を主張し、その開示の全てをここに取り込む。
【符号の説明】
【０２００】
１１  RANノード
１２  UE
１９０４  プロセッサ
１９０５  メモリ
２００３  ベースバンドプロセッサ
２００４  アプリケーションプロセッサ
【図１】
2020108168.tif 000003
【図２】
2020108168.tif 000004
【図３】
2020108168.tif 000005
【図４】
2020108168.tif 000006
【図５】
2020108168.tif 000007
【図６】
2020108168.tif 000008
【図７】
2020108168.tif 000009
【図８】
2020108168.tif 000010
【図９】
2020108168.tif 000011
【図１０】
2020108168.tif 000012
【図１１】
2020108168.tif 000013
【図１２】
2020108168.tif 000014
【図１３Ａ】
2020108168.tif 000015
【図１３Ｂ】
2020108168.tif 000016
【図１３Ｃ】
2020108168.tif 000017
【図１４Ａ】
2020108168.tif 000018
【図１４Ｂ】
2020108168.tif 000019
【図１４Ｃ】
2020108168.tif 000020
【図１５Ａ】
2020108168.tif 000021
【図１５Ｂ】
2020108168.tif 000022
【図１５Ｃ】
2020108168.tif 000023
【図１６】
2020108168.tif 000024
【図１７】
2020108168.tif 000025
【図１８】
2020108168.tif 000026
【図１９】
2020108168.tif 000027
【図２０】
2020108168.tif 000028